(57)【特許請求の範囲】
【請求項１】
少なくとも、無線通信デバイス、及び当該無線通信デバイスで受信した信号に応じて出力形態が制御される出力デバイスを備えたデバイス群を含む携帯端末であって、
前記携帯端末は、
蓄電量が時間経過に伴って減少し充電によって復帰する電力供給源であって、前記デバイス群に対して電力供給可能な電力供給源と、
該電力供給源の蓄電状態を検出するための蓄電状態検出手段と、
利用者に前記電力供給源からの電力供給を制御する権限があるか否かを認証するための認証情報を記憶するための認証情報記憶手段と、
該認証情報記憶手段により記憶されている認証情報に基づいて認証情報入力を認証するか否かを決定するための認証手段と、
前記蓄電状態検出手段によって前記電力供給源の蓄電状態が特定の状態になったことが検出された場合に、前記認証手段による前記認証情報入力の認証結果に基づいて、当該電力供給源の予備的な残余電力を前記デバイス群へ供給可能な状態とするか否かを決定する処理を実行する電力供給制御手段と、
をさらに含み、
前記電力供給源は、単一のバッテリから構成され、
前記蓄電状態検出手段は、前記単一のバッテリの電圧を検出し、
前記特定の状態は、前記単一のバッテリの電圧がローバッテリ値よりも高いしきい値まで低下した第２の蓄電状態であり、
前記電力供給制御手段は、
前記蓄電状態検出手段によって前記単一のバッテリが前記第２の蓄電状態になったことが検出された場合に、前記認証手段により前記認証情報入力の認証がなされると、当該単一のバッテリからの前記デバイス群への電力供給を継続する一方、前記認証手段による前記認証情報入力の認証がなされないと、当該単一のバッテリからの前記デバイス群への電力供給を遮断する処理を実行するための手段を含むことを特徴とする携帯端末。
【発明の詳細な説明】
【技術分野】
【０００１】
本発明は、携帯電話等の携帯端末に関し、特に蓄電量が時間経過に伴って減少し充電により復帰する電力供給源が内蔵された携帯端末に係る。
【背景技術】
【０００２】
周知のように、携帯電話は、小型化及び薄型化に伴って持運びが一層便利になっているため、携帯端末の象徴的な存在として広く社会に認知されている。それゆえ、多くの人が集中する、例えば、映画館、劇場等の公共施設及び電車、バス等の公共交通機関等での携帯電話の使用は、もはや不可避状態となっている。
【０００３】
近時、携帯電話においては、上記の公共施設及び公共交通機関等での着信音による迷惑を回避するため、着信時に着信音を鳴らすことなく振動を発生させることによってその旨を報知する、いわゆるマナーモード設定機能を備えたものが一般的になっている。
【０００４】
他方、携帯電話は、上記のように持運びに便利である反面、紛失の危険性も少なくはない。例えば、机の引出し、家具と家具との隙間、及び部屋の隅等に置忘れてしまうと、携帯電話を探し出すのに苦労する場合も多々ある。このような場合には、例えば、携帯電話の所有者本人の固定電話又は知人が所有する携帯電話等の他の端末から携帯電話に電話をかけ、着信音によってその場所を確認するのであるが、上記のマナーモードに設定されていると着信音が鳴らないため、紛失した携帯電話を探し出すのが非常に困難となってしまう。
【０００５】
そこで、上記の紛失時にマナーモード設定状態にある携帯電話の発見を容易にするための技術が種々提案されている。
【０００６】
例えば、特許文献１には、紛失した携帯電話に他の電話から電話をかけ、そのときに当該他の電話から所定のキーワードを入力し、この入力キーワードが正しければ、当該紛失側携帯電話のマナーモードが解除され着信音が出力される旨が開示されている。
【０００７】
また、特許文献２には、他の端末からパスワードが記載されたメールを紛失した携帯電話に対して送信し、このメールに記載されたパスワードが当該紛失側携帯電話により認証されれば、マナーモードが解除され着信音が出力される旨が開示されている。
【０００８】
上記特許文献１及び２に係る技術では、携帯電話を紛失した際に、バッテリの残量が無くなってしまうと当該携帯電話が機能しなくなり、結果的に紛失した携帯電話を探すことができなくなる。
【０００９】
かかる事態に対処するため、例えば、特許文献３にて開示されている携帯電話に予備電池（予備バッテリ）を搭載し、サーバからの特殊電波により予備電源とＧＰＳ（Ｇｒｏｂａｌ  Ｐｏｓｉｔｉｏｎｉｎｇ  Ｓｙｓｔｅｍ）回路とを作動させ、当該携帯電話の位置情報を当該サーバに送信し、それによって紛失した携帯電話を発見できるようにするシステムを利用することも考えられる。
【００１０】
【特許文献１】特開２００４−２８２６５１号公報
【特許文献２】特開２００４−３２８２４５号公報
【特許文献３】特開２００５−８６６４７号公報
【発明の開示】
【発明が解決しようとする課題】
【００１１】
ところで、将来的には、上記の携帯電話に搭載した予備電池を、紛失時における携帯電話の位置情報の取得のみに使用するのではなく、通常時にも使用したいとの要求が出てくるものと想定される。
【００１２】
しかしながら、上記特許文献３に係る技術では、上記予備電池は紛失時専用の電力供給源にすぎないため、この要求には対応できない。
【００１３】
加えて、上記特許文献３に係る技術では、サーバから予備電池を使用する旨を示す信号を送信している（換言すると、携帯電話側ではサーバからの予備電池使用指示信号を受けて予備電池を使用状態にしている）にすぎないゆえ、電話会社のサービスの１つとして実現されるものであって、（１）利用者（携帯電話を紛失した者）自身による電話会社への連絡、（２）電話会社による上記連絡した利用者が携帯電話を使用する正当な権限を有している者か否かを示す契約情報等との照合、及び（３）上記照合の結果として正規契約者と判断されることを条件とした、電話会社からの信号の発信等の手続きが必要となる。
【００１４】
このように、人と人とのやり取りが必要であるがゆえに、利用者側から見ると非常に手間がかかり、更には正規の利用者か否かの照合が確実に行なわれない可能性がある。したがって、他人の嫌がらせで勝手に紛失したものとして電話会社に連絡する場合等を想定すると、本人照合の際、個人情報が漏洩し得る。例えば、上記のサーバから提供されるサービスを受けるためには、予備電池を利用する上での認証コードを基本的には声を発して告知することになり、その際に当該認証コードが漏洩する危険性がある。
【００１５】
本発明は、上記に鑑みなされたもので、通常時及び非常時の何れの使用であっても電力供給源の予備的な残余電力を使用できるようにし、かつ、そのときに必要とされる認証情報の漏洩を防止し得る携帯端末の提供を目的とする。
【課題を解決するための手段】
【００１６】
上記目的を達成するため、本発明は、少なくとも、無線通信デバイス、及び当該無線通信デバイスで受信した信号に応じて出力形態が制御される出力デバイスを備えたデバイス群を含む携帯端末であって、この携帯端末は、蓄電量が時間経過に伴って減少し充電によって復帰する電力供給源であって、デバイス群に対して電力供給可能な電力供給源と、電力供給源の蓄電状態を検出するための蓄電状態検出手段と、利用者に電力供給源からの電力供給を制御する権限があるか否かを認証するための認証情報を記憶するための認証情報記憶手段と、認証情報記憶手段により記憶されている認証情報に基づいて認証情報入力を認証するか否かを決定するための認証手段と、蓄電状態検出手段によって電力供給源の蓄電状態が特定の状態になったことが検出された場合に、認証手段による認証情報入力の認証結果に基づいて、当該電力供給源の予備的な残余電力をデバイス群へ供給可能な状態とするか否かを決定する処理を実行する電力供給制御手段と、をさらに含む。
【００１７】
上記構成において、本携帯端末の使用時には、電力供給源の蓄電状態は常に検出される。この電力供給源の蓄電状態が特定の状態になったことが検出された場合には、認証情報入力の認証確認が行なわれる。この認証情報入力の認証結果に基づいて、電力供給源の予備的な残余電力をデバイス群へ供給可能な状態とするか否かが決定される。このように、携帯端末を利用する際に電力供給源の予備的な残余電力を使いたいときには、認証情報の入力（即ち、当該端末の持主本人による認証情報入力による解除）が必要となることから、例えば、営業先に出張してその結果を会社に報告する等で１回の通信（通話又はメール送信）が必要となる場合であっても、電力供給源の蓄電量が少なくなっていることを意識せずに携帯端末を利用できる。
【００１８】
ある態様では、電力供給源は、主バッテリ及び副バッテリを含み、蓄電状態検出手段は、主バッテリの電圧を検出し、特定の状態は、主バッテリの電圧がローバッテリ値まで低下した第１の蓄電状態であり、電力供給制御手段は、蓄電状態検出手段によって主バッテリが第１の蓄電状態になったことが検出された場合に、認証手段による認証情報入力の認証がなされることを条件として、デバイス群に対する副バッテリからの電力供給を可能な状態とする処理を実行するための手段を含む。
【００１９】
この場合、本携帯端末の使用時には、主バッテリの電圧は常に検出される。この主バッテリの電圧がローバッテリ値まで低下し、当該主バッテリの蓄電状態が第１の蓄電状態になったことが検出された場合には、認証情報入力の認証がなされときに限り、デバイス群に対する副バッテリからの電力供給が可能な状態となる。
【００２０】
他の態様では、電力供給源は、単一のバッテリから構成され、蓄電状態検出手段は、単一のバッテリの電圧を検出し、特定の状態は、単一のバッテリの電圧がローバッテリ値よりも高いしきい値まで低下した第２の蓄電状態であり、電力供給制御手段は、蓄電状態検出手段によって単一のバッテリが第２の蓄電状態になったことが検出された場合に、認証手段により認証情報入力の認証がなされると、当該単一のバッテリからのデバイス群への電力供給を継続する一方、認証手段による認証情報入力の認証がなされないと、当該単一のバッテリからのデバイス群への電力供給を遮断する処理を実行するための手段を含む。
【００２１】
この場合、本携帯端末の使用時には、単一のバッテリの電圧は常に検出される。この単一のバッテリの電圧がローバッテリ値よりも高いしきい値まで低下し、当該単一のバッテリの蓄電状態が第２の蓄電状態になったことが検出された場合に、認証情報入力の認証がなされたときには、単一のバッテリからのデバイス群への電力供給が継続される。一方、認証情報入力の認証がなされなかったときには、単一のバッテリからのデバイス群への電力供給が遮断される。
【００２２】
また、認証手段は、無線通信デバイスを介して他の端末から入力された認証情報を受取り、当該他の端末からの認証情報入力の認証又は非認証の判定をなす処理を実行するための手段を含む。
【００２３】
上記構成において、他の端末から入力された認証情報は、無線通信デバイスを介して受取られ、当該他の端末からの認証情報入力の認証又は非認証の判定がなされる。このように、他の端末（外部）からの認証情報の入力を可能とすることで、例えば、「部屋の中で本携帯端末を紛失したが、何処にあるか分らない」又は「昨日、本携帯端末を多く使用したが、持って出るのを忘れたので電力供給源の蓄電量が気になって仕方がない」等の非常時でも、外部から電力供給源の予備的な残余電力の使用を促すことができる。したがって、上記のような非常時においても、電話会社（電話事業者）のサービスに頼らずに対応可能になる。その結果、認証情報が漏洩することはない。
【００２４】
さらに、デバイス群は、認証情報を入力するための入力デバイスをさらに備え、認証手段は、入力デバイスによって入力された認証情報を受取り、当該入力デバイスからの認証情報入力の認証又は非認証の判定をなす処理を実行するための手段をさらに含む。
【００２５】
上記構成において、入力デバイスによって認証情報が入力された場合には、当該入力デバイスからの認証情報入力の認証又は非認証の判定がなされる。このように、本携帯端末上での認証情報入力を可能とすることで、例えば、「通常使用時に電力供給源の蓄電量が低減したが、充電器を所持していないので充電できない」等のような場合でも、当該携帯端末の入力デバイスの操作による認証情報入力を契機に電力供給源の予備的な残余電力の使用が可能となるので、上記のような場合でも対応可能になる。
【発明の効果】
【００２６】
本発明によると、携帯端末の使用が通常時及び非常時の何れの使用であっても電力供給源の予備的な残余電力を使用できるようになり、かつ、そのときに必要とされる認証情報も漏洩する虞がない。
【発明を実施するための最良の形態】
【００２７】
以下、本発明の実施の形態を添付図面に基づき詳細に説明する。なお、以下の説明及び本明細書に添付の図面では、同一の機能部品には同一の参照符号を付してある。それらの名称及び機能も同一である。したがって、それらについて詳細な説明は繰返さないことにする。
【００２８】
[第１の実施の形態]
＜携帯端末５０のハードウェア構成＞
図１は本発明の第１の実施の形態に係る携帯端末５０の構成を示すブロック図である。
【００２９】
図１を参照して、第１の実施の形態に係る携帯端末５０は、携帯電話であって、主バッテリ５２と、副バッテリ５４と、これら主バッテリ５２及び副バッテリ５４のうちの何れか一方又は双方から電力供給を受けて動作する通信制御ブロック５６、電力供給制御ブロック５８及び非常用着信音記憶ブロック６０とを含む。
【００３０】
主バッテリ５２及び副バッテリ５４の両者は、蓄電量が時間経過に伴って減少し充電によって復帰する電池である。主バッテリ５２は、その内部にローバッテリ検出部５２Ａを備えている。このローバッテリ検出部５２Ａは、主バッテリ５２の電圧の変化を監視し、当該主バッテリ５２の電圧値がローバッテリ値になったことを検出するためのものである。他方、副バッテリ５４は、本携帯端末５０の予備電池として機能するバッテリである。
【００３１】
通信制御ブロック５６は、主バッテリ５２及び副バッテリ５４の両者の第１の電力供給負荷であって、通信制御デバイス６２、通信関連情報記憶デバイス６４、無線通信デバイス６６、入力デバイス６８、タイマ７０、スピーカ７２、発光デバイス７４、表示デバイス７６、バイブレータ７８及びマイク８０を含む。
【００３２】
通信制御デバイス６２は、本携帯端末５０の通信に関する制御中枢を司るマイクロコンピュータであって、特に図示しないが、ＣＰＵ（Ｃｅｎｔｒａｌ  Ｐｒｏｃｃｅｓｓｉｎｇ  Ｕｎｉｔ）、ＲＯＭ（Ｒｅａｄ−ｏｎｌｙ  Ｍｅｍｏｒｙ）及びＲＡＭ（Ｒａｍｄｏｍ  Ａｃｃｅｓｓ  Ｍｅｍｏｒｙ）等を備えている。本携帯端末５０では、通信制御デバイス６２内のＲＯＭに他の端末との間での通信制御に関するプログラムが格納されている。
【００３３】
通信関連情報記憶デバイス６４は、不揮発性を有するメモリであって、通信制御デバイス６２のワーキングメモリとして機能する。それゆえ、この通信関連情報記憶デバイス６４には、通信制御デバイス６２によってデータの読出し及び書込みが随時に行なわれる、各種端末状態記憶領域６４Ａ及び着信音データ記憶領域６４Ｂ等の種々の記憶領域が形成されている。特に、各種端末状態記憶領域６４Ａには、マナーモード設定状態及びドライブモード設定状態等の本携帯端末５０の各種の稼動設定状態を示すデータが格納されている。着信音データ記憶領域６４Ｂには、携帯電話製造会社側で予め用意されたオリジナル着信音データ、及びダウンロードにより取得されたダウンロード着信音データ等の種々の着信音データが格納されている。
【００３４】
無線通信デバイス６６は、図外の他の端末との間で通信を行なう際に作動されるものであって、アンテナ、ＲＦ（Ｒａｄｉｏ  Ｆｒｅｎｑｕｅｎｃｙ）部、変調部及び復調部（何れも図示せず）等を備えている。無線通信デバイス６６に関係する制御データは、通信制御デバイス６２から出力される。他方、無線通信デバイス６６により受信されたデータは、通信制御デバイス６２に入力される。
【００３５】
ここで、本実施の形態においては、上記他の端末としては、固定電話及び携帯電話はもとより、デスクトップコンピュータ、モバイルコンピュータ及びＰＤＡ（Ｐｅｒｓｏｎａｌ  Ｄｉｇｉｔａｌ  Ａｓｓｉｓｔａｎｓ）等の通話通信機能を有していない情報端末も含まれる。
【００３６】
入力デバイス６８は、各種の入力キー、各種の入力ボタン及びこれらのコントローラ（何れも図示せず）等を備えている。各種の入力キーとしては、電話番号、メールアドレス等のアクセスコード及び文字入力等のデータを入力する際に使用されるテンキー、及びその中央部に確定ボタンを有する十字キー等を例示することができる。他方、各種の入力ボタンとしては、通話を開始する際に使用される通話開始ボタン、通話を切断する際に使用される切断ボタン、通信モードとして通話を選択する際に操作される通話ボタン、及び通信モードとしてメール通信を選択する際に操作されるメールボタンなどを例示することができる。入力デバイス６８によって入力されたデータは、通信制御デバイス６２に入力される。
【００３７】
タイマ７０は、現在時刻及び通話時間等を計測するものであって、このタイマ７０からの計時データは、通信制御デバイス６２に出力される。
【００３８】
スピーカ７２は、着信音（非常用着信音を含む）及び通話相手先の音声等を出力するものであって、このスピーカ７２に関係する制御データは、通信制御デバイス６２から出力される。
【００３９】
発光デバイス７４は、ＬＥＤ（Ｌｉｇｈｔ  Ｅｍｉｔｔｉｎｇ  Ｄｉｏｄｅ）等の発光素子（図示せず）を含み、この発光デバイス７４に関係する制御データは、通信制御デバイス６２から出力される。
【００４０】
表示デバイス７６は、ディスプレイ及びディスプレイコントローラ（何れも図示せず）等を備えている。この表示デバイス７６に関係する制御データは、通信制御デバイス６２から出力される。なお、上記十字キーを操作すると、カーソルは表示デバイス７６のディスプレイ上で上下左右に移動する。
【００４１】
バイブレータ７８は、主として、本携帯端末５０がマナーモード設定状態とされている場合に、他の端末からの着信時に本携帯端末本体に振動を与えてその旨を報知するためのものであって、このバイブレータ７８に関係する制御データは、通信制御デバイス６２から出力される。
【００４２】
マイク８０は、他の端末との間で通話を行なう際に音声を入力するためのものであって、このマイク８０からの音声データは、通信制御デバイス６２に入力される。
【００４３】
電力供給制御ブロック５８は、主バッテリ５２及び副バッテリ５４の両者の第２の電力供給負荷であって、電力供給制御デバイス８２を含む。
【００４４】
電力供給制御デバイス８２は、本携帯端末５０の電力供給に関する制御中枢を司るマイクロコンピュータであって、スイッチＳＷに加えて、ＣＰＵ、ＲＯＭ及びＲＡＭ（何れも図示せず）等を備えている。この電力供給制御デバイス８２内のＲＡＭには、認証情報記憶領域８４が形成されており、この認証情報記憶領域８４は、パスワード記憶部８４Ａ及び解除専用端末ＩＤ記憶部８４Ｂを備えている。パスワード記憶部８４Ａには、副バッテリ５４を使用可能な状態とする際、及び本携帯端末５０を紛失した状態を解除する際に、利用者がこれらの権限を有しているか否かを認証するためのパスワードが格納される。他方、解除専用端末ＩＤ記憶部８４Ｂには、利用者が上記の認証を解除するために指定した他の端末を一意に識別するための識別情報として当該認証解除専用端末固有のＩＤ（Ｉｄｅｎｔｉｆｉｃａｔｉｏｎ  Ｎｕｍｂｅｒ）が格納される。認証解除専用端末として、固定電話及び携帯電話といった通話通信機能を有する端末が指定された場合には、その電話番号が認証解除専用端末ＩＤとされる。他方、認証解除専用端末として、デスクトップコンピュータ、モバイルコンピュータ及びＰＤＡ等の通話通信機能を有さない端末が指定された場合には、そのプロダクトＩＤ及びユーザーＩＤ等の電話番号と異なるＩＤが認証解除専用端末ＩＤとされる。また、本携帯端末５０では、電力供給制御デバイス８２内のＲＯＭに主バッテリ５２及び副バッテリ５４の両者からの電力供給制御に関するプログラムが格納されている。
【００４５】
上記電力供給制御デバイス８２にも、上記の主バッテリ５２内のローバッテリ検出部５２Ａからのローバッテリ検出データ、無線通信デバイス６６からの受信データ、入力デバイス６８からの入力データ、及びタイマ７０からの計時データが入力される。他方、上記電力供給制御デバイス８２からは、スピーカ７２、発光デバイス７４及び表示デバイス７６の各々に対して制御データが出力される。
【００４６】
非常用着信音記憶ブロック６０は、主バッテリ５２及び副バッテリ５４の両者の第３の電力供給負荷であって、非常用着信音記憶デバイス８６を含んでいる。
【００４７】
非常用着信音記憶デバイス８６は、ＥＥＰＲＯＭ（Ｅｌｅｃｔｒｉｃａｌ  Ｅｒａｓａｂｌｅ  Ｐｒｏｇｒａｍｍａｂｌｅ  ＲＯＭ）等の不揮発性フラッシュメモリから成り、この非常用着信音記憶デバイス８６には、本携帯端末５０を紛失した際にその位置を知らせる特定の音としての非常用着信音が格納されている。
【００４８】
本実施の形態では、電力供給ラインとしては、主バッテリ５２から通信制御ブロック５６、電力供給制御ブロック５８及び非常用着信音記憶ブロック６０の三者に向かって延びる主電力供給ラインＬＭと、副バッテリ５４から延び、かつ上記の電力供給制御デバイス８２内のスイッチＳＷを介して当該電力供給制御デバイス８２内で主電力供給ラインＬＭに接続する副電力供給ラインＬＳとの２系統がある。主バッテリ５２の電力は、主電力供給ラインＬＭを介して、通信制御ブロック５６、電力供給制御ブロック５８及び非常用着信音記憶ブロック６０にそれぞれ供給される。これに対して、副バッテリ５４の電力は、上記スイッチＳＷが常開スイッチであるがゆえに、当該スイッチＳＷがオンされない限り、通信制御ブロック５６及び非常用着信音記憶ブロック６０の両者には供給されることはない。すなわち、スイッチＳＷがオンされると、副バッテリ５４の電力は、副電力供給ラインＬＳ及び主電力供給ラインＬＭを経由して、通信制御ブロック５６及び非常用着信音記憶ブロック６０にそれぞれ供給される。
【００４９】
＜携帯端末５０のソフトウェア構成＞
本携帯端末５０においては、通常時及び非常時の何れの使用においても、主バッテリ５２がローバッテリ状態になった場合に、認証情報入力の認証がなされることを条件として、通信制御ブロック５６及び非常用着信音記憶ブロック６０の両者に対する副バッテリ５４からの電力供給を可能な状態とするようにプログラミングされている。このプログラムは、既に述べたように、電力供給制御デバイス８２内のＲＯＭに記憶されており、以下に説明する本携帯端末５０の特徴的な機能を実現する。これらの機能は、上記の実質的にコンピュータから成る電力供給制御デバイス８２が上記プログラムに含まれている種々の手順に従って処理を実行することによって実現される。
【００５０】
認証情報としての上記のパスワード及び認証解除専用端末ＩＤは、例えば、本携帯端末５０の初期設定時等に入力されて上記の電力供給制御デバイス８２内のＲＡＭに形成された認証情報記憶領域８４のパスワード記憶部８４Ａ及び解除専用端末ＩＤ記憶部８４Ｂにそれぞれ格納されている。
【００５１】
また、主バッテリ５２の電圧は、本携帯端末５０の電源がオンされることを契機として、当該主バッテリ５２内のローバッテリ検出部５２Ａにより監視され、このローバッテリ検出部５２Ａが主バッテリ５２の電圧値がローバッテリ値まで低下したことを検出すると、そのローバッテリ検出データは電力供給制御デバイス８２に与えられる。
【００５２】
図２〜図４は携帯端末５０の機能を実現するプログラムに係るメインルーチンの制御の流れを示すフローチャートである。なお、本携帯端末５０は、主バッテリ５２及び副バッテリ５４が装着され、かつ電源が投入されたときに励起する。このとき、電力供給制御デバイス８２内のスイッチＳＷはオフ状態で、副バッテリ５４が未使用状態に初期設定されている。
【００５３】
図２を参照して、まず、本携帯端末５０の電力供給制御デバイス８２は、主バッテリ５２がローバッテリ状態か否かを判別する（ステップＳ１００）。主バッテリ５２の電圧値がローバッテリ値まで低下し、その旨を示す検出データが当該主バッテリ５２内のローバッテリ検出部５２Ａから入力された場合には、電力供給制御デバイス８２は、主バッテリ５２がローバッテリ状態になったと判断して、その旨を通知すると共に、表示デバイス７６のディスプレイ上にパスワード入力誘導画面を表示させる（ステップＳ１０２及びＳ１０４）。上記ローバッテリ状態の通知態様としては、発光デバイス７４を赤色、緑色、青色若しくは七色等の発光状態又は点滅状態とする態様、バイブレータ７８により振動を発生させる態様、及びスピーカ７２から警告音を出力する態様、並びにこれらを複合させた態様等が挙げられる。その後、電力供給制御デバイス８２は、制御をステップＳ１０６及びＳ１０８に移す。
【００５４】
他方、主バッテリ５２が上記のローバッテリ状態でないと判別した場合には、電力供給制御デバイス８２は、第１の紛失状態解除処理に備える（ステップＳ１１０）。この第１の紛失状態解除処理については、後で詳しく説明する。
【００５５】
ステップＳ１０６及びＳ１０８に移行すると、電力供給制御デバイス８２は、所定時間が経過するまでに入力デバイス６８のキー操作によってパスワードが入力されるのを待つ。所定時間が経過するまでにパスワードが入力された場合には、電力供給制御デバイス８２は、このパスワード入力が当該電力供給制御デバイス８２内のパスワード記憶部８４Ａに記憶されているパスワードと一致するか否かを判別する（ステップＳ１１４）。両者のパスワードが一致したときには、電力供給制御デバイス８２は、上記のパスワード入力を認証して、当該電力供給制御デバイス８２内のスイッチＳＷをオンする（ステップＳ１１６）。これにより、副バッテリ５４から延びる副電力供給ラインＬＳと主バッテリ５２から延びる主電力供給ラインＬＭとが通電し、副バッテリ５４から通信制御ブロック５６及び非常用着信音記憶ブロック６０の両者に対する電力供給が可能な状態となる。その後、電力供給制御デバイス８２は、第２の紛失状態解除処理に備える（ステップＳ１１８）。この第２の紛失解除処理については、後で詳しく説明する。他方、所定時間が経過するまでにパスワード入力がない場合、又はパスワード入力の認証がなされない場合には、電力供給制御デバイス８２は、他の端末からのアクセスを待つ（ステップＳ１１２）。無線通信デバイス６６から受信データが入力された場合には、電力供給制御デバイス８２は、他の端末からのアクセスがあったと判断し、制御をステップＳ１２０（図３参照）に移す。
【００５６】
図３を参照して、他の端末からのアクセスがあってステップＳ１２０に移行すると、電力供給制御デバイス８２は、アクセスのあった他の端末が認証解除専用端末（以下、単に「解除専用端末」という）であるか否かを判別する。この判別は、他の端末からのアクセス信号に重畳された当該アクセス端末固有の端末ＩＤと上記の電力供給制御デバイス８２内の解除専用端末ＩＤ記憶部８４Ｂに記憶されている認証解除専用端末ＩＤ（以下、単に「解除専用端末ＩＤ」という）とを比較し、両者が一致するか否かによって達成される。解除専用端末ＩＤが一致して、上記アクセス端末としての他の端末が解除専用端末であると判別した場合には、電力供給制御デバイス８２は、制御をステップＳ１３０（図４参照）に移す。他方、端末ＩＤが一致せずに、上記アクセス端末としての他の端末が解除専用端末でないと判別した場合には、電力供給制御デバイス８２は、制御をステップＳ１２２及びＳ１２４に移す。
【００５７】
ステップＳ１２２及びＳ１２４に移行すると、電力供給制御デバイス８２は、他の端末からの着信態様を判別する。着信態様が通話着信であると判別した場合には、電力供給制御デバイス８２は、制御をステップＳ１１２（図２参照）に戻す。このとき、上記スイッチＳＷのオフ状態が維持されるゆえ、副バッテリ５４の使用は不可能な状態となっている。他方、着信態様がメール受信であると判別した場合には、電力供給制御デバイス８２は、受信メールがパスワード記載のメールか否かを判別する（ステップＳ１２６）。パスワード付きメールである場合には、電力供給制御デバイス８２は、当該メールに記載されたパスワードが自身のパスワード記憶部８４Ａに記憶されているパスワードと一致するか否かを判別する（ステップＳ１２８）。このとき、両者が一致すると、電力供給制御デバイス８２は、メールでのパスワード入力を認証して、制御をステップＳ１１６（図２参照）に移し、このステップＳ１１６において、その内部のスイッチＳＷをオンする。これによって、副バッテリ５４が使用可能な状態となる。これに対し、上記の受信メールが通常のメールである場合、又は上記のメールによるパスワード入力の認証がなされない場合には、電力供給制御デバイス８２は、制御をステップＳ１１２（図２参照）に戻す。したがって、上記スイッチＳＷはオフされたままで、副バッテリ５４の使用することができない状態が続くことになる。
【００５８】
図４を参照して、アクセスのあった他の端末が解除専用端末であってステップＳ１３０に移行すると、電力供給制御デバイス８２は、当該解除専用端末である他の端末が通話通信機能（以下、単に「通話機能」という）を有するか否かを判別する。この判別は、上記の電力供給制御デバイス８２内の解除専用端末ＩＤ記憶部８４Ｂに解除専用端末固有の端末ＩＤとして電話番号が登録されているか否かにより達成される。すなわち、解除専用端末ＩＤとして上記の電話番号が登録されていると、解除専用端末が固定電話又は携帯電話であって通話機能を有していることになる一方、解除専用端末として上記の電話番号と異なるＩＤが登録されていると、解除専用端末がデスクトップコンピュータ、モバイルコンピュータ又はＰＤＡ等であって通話機能を有していないことになる。解除専用端末が通話機能を有していない場合には、電力供給制御デバイス８２は、自身の解除専用端末ＩＤ記憶部８４Ｂに記憶されている解除専用端末ＩＤとの確認をとり（ステップＳ１４４）、その後、制御をステップＳ１１６（図２参照）に移し、このステップＳ１１６において、スイッチＳＷをオンする。その結果、副バッテリ５４が使用可能状態となる。他方、解除専用端末が通話機能を有している場合には、電力供給制御デバイス８２は、着信態様が通話着信であるか否かを判別する（ステップＳ１３２）。このとき、着信態様が通話着信でないと、電力供給制御デバイス８２は、制御をステップＳ１２４〜Ｓ１２８（図２参照）に戻す。これらステップＳ１２４〜Ｓ１２８において、電力供給制御デバイス８２は、上記のメールでのパスワード入力が認証されることを条件として、上記スイッチＳＷをオンとして副バッテリ５４の使用を可能とする（図２に示すステップＳ１１６）。この条件を満たさない場合には、上記スイッチＳＷのオフ状態が維持されるので、副バッテリ５４の使用はできない。これに対し、着信態様が通話着信であると、電力供給制御デバイス８２は、所定時間が経過するまでに本携帯端末５０がオフフック状態に遷移するか否かを判別する（ステップＳ１３４及びＳ１４６）。この制御は、利用者の通話操作により、通信制御デバイス６２側で通話可能状態となる場合を想定した制御である。所定時間が経過するまでに本携帯端末５０がオフフック状態に遷移した場合には、電力供給制御デバイス８２は、制御をステップＳ１１２（図２参照）に戻す。この場合も、上記スイッチＳＷはオンされないので、副バッテリ５４の使用は不可能である。逆に、所定時間が経過しても本携帯端末５０がオフフック状態に遷移しない場合には、電力供給制御デバイス８２は、オフフック処理を行ない、それによって上記解除専用端末との通話接続を図り（ステップＳ１３６）、その後、制御をステップＳ１３８及びＳ１４０に移す。
【００５９】
ステップＳ１３８及びＳ１４０に移行すると、電力供給制御デバイス８２は、所定時間が経過するまでに上記の通話機能を有する解除専用端末側からパスワードが入力されるのを待つ。この解除専用端末側からのパスワード入力態様としては、例えば、当該解除専用端末側でパスワードを音声にて入力する態様、及び当該解除専用端末側でパスワードをダイヤル操作（キー操作及びボタン操作を含む概念である）にて入力する態様等を挙げることができる。所定時間が経過するまでに解除専用端末側からのパスワード入力がない場合には、電力供給制御デバイス８２は、オンフック処理を行ない、それによって当該解除専用端末との通話を切断する（ステップＳ１４２）。その後、電力供給制御デバイス８２は、制御をステップＳ１１２（図２参照）に戻すので、副バッテリ５４を使用することはできない。他方、所定時間が経過するまでに解除専用端末からのパスワード入力があった場合には、電力供給制御デバイス８２は、オンフック処理を行ない、それによって当該解除専用端末との通話を切断する（ステップＳ１４８）。その後、電力供給制御デバイス８２は、制御をステップＳ１２８（図３参照）に移し、このステップＳ１２８において、上記解除専用端末から入力されたパスワードがパスワード記憶部８４Ａに記憶されているパスワードと一致するか否かを判別する。このとき、両者が一致すると、電力供給制御デバイス８２は、解除専用端末からのパスワード入力を認証して、制御をステップＳ１１６（図２参照）に移し、このステップＳ１１６において、スイッチＳＷをオンして副バッテリ５４を使用可能状態とする。これに対し、解除専用端末からのパスワード入力がない場合、又は解除専用端末からのパスワード入力の認証がなされない場合には、電力供給制御デバイス８２は、制御をステップＳ１００（図２参照）に戻すので、上記スイッチＳＷはオフされたままで、副バッテリ５４の使用することができない状態が続く。
【００６０】
（第１の紛失状態解除処理）
図５及び図６は携帯端末５０の機能を実現するプログラムの第１のサブルーチンである第１の紛失状態解除処理に関する制御の流れを示すフローチャートである。なお、これらの図に示したサブルーチンは、通常使用時において上記のスイッチＳＷのオフ状態が維持され副バッテリ５４の使用が不可能になっている場合の本携帯端末５０の紛失状態を解除するためのものである。
【００６１】
図５を参照して、第１の紛失状態解除処理では、まず、本携帯端末５０の電力供給制御デバイス８２は、他の端末からのアクセスがあることを条件として（ステップＳ２００においてＹＥＳ）、アクセスのあった他の端末が解除専用端末であるか否かを判別する（ステップＳ２０２）。それ以外の場合（ステップＳ２００においてＮＯ）には、電力供給制御デバイス８２は、制御をステップＳ１００（図２参照）に戻して主バッテリ５２の状態を判別する。
【００６２】
ステップＳ２０２において、電力供給制御デバイス８２は、他の端末からのアクセス信号に重畳された当該アクセス端末固有の端末ＩＤと自身の解除専用端末ＩＤ記憶部８４Ｂに記憶されている解除専用端末ＩＤとを比較することによって、この判別を実行する。解除専用端末ＩＤが一致して、上記アクセス端末としての他の端末が解除専用端末であると判別した場合には、電力供給制御デバイス８２は、制御をステップＳ２１６（図６参照）に移す。他方、解除専用端末ＩＤが一致せずに、上記アクセス端末としての他の端末が解除専用端末でないと判別した場合には、電力供給制御デバイス８２は、制御をステップＳ２０４〜Ｓ２０８に移す。
【００６３】
ステップＳ２０４〜Ｓ２０８に移行すると、電力供給制御デバイス８２は、他の端末からの着信態様がメール受信であると判別し、かつ、その受信メールが上記のパスワード付きメールである場合に限って、当該メールに記載されたパスワードがパスワード記憶部８４Ａに記憶されているパスワードと一致するか否かを判別する（ステップＳ２１０）。このとき、両者が一致すると、電力供給制御デバイス８２は、メールでのパスワード入力を認証して、その内部のスイッチＳＷをオンすることによって副バッテリ５４を使用可能状態とする（ステップＳ２１２）。これは、本携帯端末５０を紛失している間に主バッテリ５２がローバッテリ状態となっている場合に備えるための制御である。それゆえ、上記ステップＳ２０４〜Ｓ２１２における一連の処理は、本携帯端末５０の紛失時に主バッテリ５２の蓄電量が少なくなっているときに有効となる。その後、電力供給制御デバイス８２は、非常用着信音記憶デバイス８６に記憶されている非常用着信音を読出し、この読出した非常用着信音をスピーカ７２から出力させる（ステップＳ２１４）。このとき、本携帯端末５０がマナーモード設定状態にある場合には、マナーモード設定状態を解除した後に上記非常用着信音を出力する、又はマナーモード設定状態とは無関係に上記非常用着信音を強制的に出力しても構わない。なお、着信態様が通話着信である場合、受信メールが通常メールである場合、及び上記のメールによるパスワード入力の認証がなされない場合には、電力供給制御デバイス８２は、制御をステップＳ１００（図２参照）に戻す。すなわち、このような場合には、上記スイッチＳＷのオフ状態は維持されたままであり、副バッテリ５４を使用することはできない。
【００６４】
図６を参照して、アクセスのあった他の端末が解除専用端末であってステップＳ２１６に移行すると、電力供給制御デバイス８２は、当該解除専用端末である他の端末が通話機能を有するか否かを判別する。具体的には、電力供給制御デバイス８２は、自身の解除専用端末ＩＤ記憶部８４Ｂに解除専用端末固有の端末ＩＤとして電話番号及び電話番号と異なるＩＤのうち何れが登録されているかを確認することによって、この判別を実行する。すなわち、上述したように、解除専用端末ＩＤとして上記の電話番号が登録されていると、解除専用端末が固定電話又は携帯電話であって通話機能を有していることになる一方、解除専用端末ＩＤとして上記の電話番号と異なるＩＤが登録されていると、解除専用端末がデスクトップコンピュータ、モバイルコンピュータ又はＰＤＡ等であって通話機能を有していないことになる。
【００６５】
解除専用端末が通話機能を有していない場合には、電力供給制御デバイス８２は、解除専用端末ＩＤ記憶部８４Ｂに記憶されている解除専用端末ＩＤとの確認をとる（ステップＳ２３０）。その後、電力供給制御デバイス８２は、制御をステップＳ２１２及びＳ２１４（図５参照）に移し、これらステップＳ２１２及びＳ２１４において、その内部のスイッチＳＷをオンして副バッテリ５４を使用可能状態とすると共に、上記の非常用着信音をスピーカ７２から出力させる。
【００６６】
他方、解除専用端末が通話機能を有している場合には、電力供給制御デバイス８２は、着信態様が通話着信であり、かつ通話着信後において所定時間が経過するまでに当該解除専用端末側からパスワード入力があったときに限って、オンフック処理（解除専用端末との通話切断）を行なう（ステップＳ２１８〜Ｓ２２８並びにＳ２３２及びＳ２３４）。その後、電力供給制御デバイス８２は、制御をステップＳ２１０（図５参照）に移す。このステップＳ２１０において、電力供給制御デバイス８２は、上記解除専用端末からのパスワード入力が認証されることを条件として、制御を図５に示すステップＳ２１２及びＳ２１４に移し、これらステップＳ２１２及びＳ２１４において、スイッチＳＷをオンして副バッテリ５４を使用可能状態とすると共に、上記の非常用着信音をスピーカ７２から出力させる。これに対し、着信態様が通話着信でないときには、電力供給制御デバイス８２は、制御を上記のステップＳ２０６〜Ｓ２１４に移す。なお、この一連の制御に関しての説明は繰返さない。また、通話着信後において所定時間が経過するまでにオフフック状態に遷移した場合、及びステップＳ２２２でオフフックした後において所定時間が経過するまでに上記の解除専用端末側からのパスワード入力がない場合には、電力供給制御デバイス８２は、制御をステップＳ１００（図２参照）に戻す。この状態においては、上記スイッチＳＷのオフ状態は維持されたままであり、副バッテリ５４を使用することはできない。
【００６７】
（第２の紛失状態解除処理）
図７及び図８は携帯端末５０の機能を実現するプログラムの第２のサブルーチンである第２の紛失状態解除処理に関する制御の流れを示すフローチャートである。なお、これらの図に示したサブルーチンは、通常使用時において上記のスイッチＳＷがオンされ副バッテリ５４の使用が可能になっている場合の本携帯端末５０の紛失状態を解除するためのものである。
【００６８】
図７を参照して、第２の紛失状態解除処理では、まず、本携帯端末５０の電力供給制御デバイス８２は、他の端末からのアクセスを待つ（ステップＳ３００）。この間に、他の端末からのアクセスがあると、電力供給制御デバイス８２は、アクセスのあった他の端末が解除専用端末であるか否かを判別する（ステップＳ３０２）。なお、この判別メカニズムについては、上記の第１の紛失状態解除処理におけるステップＳ２０２による判別メカニズムと同様であるので、その説明は繰返さない。上記他の端末が解除専用端末であると判別した場合には、電力供給制御デバイス８２は、制御をステップＳ３１４（図８参照）に移す。他方、上記他の端末が解除専用端末でないと判別した場合には、電力供給制御デバイス８２は、制御をステップＳ３０４〜Ｓ３０８に移す。
【００６９】
ステップＳ３０４〜Ｓ３０８に移行すると、電力供給制御デバイス８２は、他の端末からの着信態様がメール受信であると判別し、かつ、その受信メールが上記のパスワード付きメールである場合に限って、当該メールに記載されたパスワードが自身のパスワード記憶部８４Ａに記憶されているパスワードと一致するか否かを判別する（ステップＳ３１０）。このとき、両者が一致すると、電力供給制御デバイス８２は、メールでのパスワード入力を認証して、非常用着信音記憶デバイス８６に記憶されている非常用着信音を読出し、この読出した非常用着信音をスピーカ７２から出力させる（ステップＳ３１２）。なお、着信態様が通話着信である場合、受信メールが通常メールである場合、及び上記のメールによるパスワード入力の認証がなされない場合には、電力供給制御デバイス８２は、制御をステップＳ３００に戻すので、上記の非常用着信音は出力されない。
【００７０】
図８を参照して、アクセスのあった他の端末が解除専用端末であってステップＳ３１４に移行すると、電力供給制御デバイス８２は、当該解除専用端末である他の端末が通話機能を有するか否かを判別する。なお、この判別メカニズムについては、上記の第１の紛失状態解除処理におけるステップＳ２１６による判別メカニズムと同様である。
【００７１】
上記の解除専用端末が通話機能を有していないと判別した場合には、電力供給制御デバイス８２は、自身の解除専用端末ＩＤ記憶部８４Ｂに記憶されている解除専用端末ＩＤとの確認をとり（ステップＳ３２８）、その後、制御をステップＳ３１２（図７参照）に移す。このステップＳ３１２において、上記の非常用着信音をスピーカ７２から出力させる。
【００７２】
上記の解除専用端末が通話機能を有していると判別した場合には、電力供給制御デバイス８２は、着信態様が通話着信であり、かつ通話着信後において所定時間が経過するまでに当該解除専用端末側からパスワード入力があったときに限って、オンフック処理（解除専用端末との通話切断）を行なう（ステップＳ３１６〜Ｓ３２６並びにＳ３３０及びＳ３３２）。その後、電力供給制御デバイス８２は、制御をステップＳ３１０及びＳ３１２（図７参照）に移し、これらステップＳ３１０及びＳ３１２において、上記解除専用端末からのパスワード入力が認証されることを条件として、非常用着信音をスピーカ７２から出力させる。これに対し、着信態様が通話着信でない場合には、電力供給制御デバイス８２は、制御を上記のステップＳ３０６〜Ｓ３１２に移す。なお、この一連の制御に関しての説明は繰返さない。また、通話着信後において所定時間が経過するまでにオフフック状態に遷移した場合、及びステップＳ３２０でオフフックした後において所定時間が経過するまでに上記の解除専用端末側からのパスワード入力がない場合には、電力供給制御デバイス８２は、制御をステップＳ３００に戻す。よって、上記の非常用着信音は出力されない。
【００７３】
＜動作＞
本実施の形態では、携帯端末５０は以下のように動作する。
【００７４】
（本携帯端末５０の通常使用時の動作）
主バッテリ５２の電圧値がローバッテリ値まで低下し、その旨を示す検出データが当該主バッテリ５２内のローバッテリ検出部５２Ａから入力された場合には、電力供給制御デバイス８２は、主バッテリ５２がローバッテリ状態になったと判断して、その旨を通知すると共に、表示デバイス７６のディスプレイ上にパスワード入力誘導画面を表示させる。他方、主バッテリ５２が上記のローバッテリ状態になるまでの間は、電力供給制御デバイス８２は、第１の紛失状態解除処理に備える。
【００７５】
上記のローバッテリ通知及びパスワード入力誘導画面表示がなされると、電力供給制御デバイス８２は、所定時間が経過するまでに入力デバイス６８の操作によってパスワードが入力されるのを待つ。所定時間が経過するまでにパスワードが入力された場合には、電力供給制御デバイス８２は、この入力されたパスワードとパスワード記憶部８４Ａに記憶されているパスワードとを照合する。この照合の結果、両者のパスワードが一致したときには、電力供給制御デバイス８２は、上記のパスワード入力を認証し、その内部のスイッチＳＷをオンする。これにより、副バッテリ５４から通信制御ブロック５６及び非常用着信音記憶ブロック６０の両者に対する電力供給が可能な状態となる。その後、電力供給制御デバイス８２は、第２の紛失状態解除処理に備える。他方、入力デバイス６８によるパスワード入力の認証がなされない場合（当該パスワード入力がない場合も含む）には、電力供給制御デバイス８２は、上記スイッチＳＷのオフ状態を継続して副バッテリ５４の使用が不可能な状態を維持する。
【００７６】
上記のパスワード入力の認証がなされない場合は、電力供給制御デバイス８２は、他の端末からのアクセスを待つ。無線通信デバイス６６から受信データが入力された場合には、電力供給制御デバイス８２は、他の端末からアクセスがあったと判断し、アクセスのあった他の端末が解除専用端末であるか否かを判別する。
【００７７】
上記他の端末が解除専用端末でなく、着信態様がメール受信であり、受信メールがパスワード付きメールであれば、電力供給制御デバイス８２は、当該メールに記載されたパスワードと自身のパスワード記憶部８４Ａに記憶されているパスワードとを照合する。この照合の結果、両者が一致したときには、電力供給制御デバイス８２は、メールでのパスワード入力を認証し、スイッチＳＷをオンする。これによって、副バッテリ５４が使用可能な状態となる。これに対し、受信メールが通常のメールである場合、又は上記メールによるパスワード入力の認証がなされない場合には、電力供給制御デバイス８２は、上記スイッチＳＷのオフ状態を継続して副バッテリ５４の使用不可能状態を維持する。
【００７８】
他方、上記他の端末が解除専用端末であり、通話機能を有していない場合には、電力供給制御デバイス８２は、解除専用端末ＩＤ記憶部８４Ｂに記憶されている解除専用端末ＩＤとの確認をとった後、その内部のスイッチＳＷをオンする。その結果、副バッテリ５４が使用可能状態となる。これに対し、解除専用端末が通話機能を有している場合には、電力供給制御デバイス８２は、着信態様が通話着信であり、所定時間が経過するまでに当該通話機能を有する解除専用端末側からパスワードが入力されたときには、オンフック処理を行ない、それによって当該解除専用端末との通話を切断する。その後、解除専用端末から入力されたパスワードとパスワード記憶部８４Ａに記憶されているパスワードとが一致した場合には、電力供給制御デバイス８２は、解除専用端末からのパスワード入力を認証し、スイッチＳＷをオンすることによって副バッテリ５４を使用可能状態とする。これに対し、解除専用端末からのパスワード入力の認証がなされない場合（当該パスワード入力がない場合も含む）等には、電力供給制御デバイス８２は、上記スイッチＳＷのオフ状態を継続して副バッテリ５４の使用不可能状態を維持する。
【００７９】
（本携帯端末５０の第１の紛失状態解除時の動作）
上記の第１の紛失状態解除処理とは、通常使用時において上記のスイッチＳＷのオフ状態が維持され副バッテリ５４の使用が不可能になっている場合の本携帯端末５０の紛失状態を解除するための処理である。
【００８０】
この第１の紛失状態解除処理では、電力供給制御デバイス８２は、他の端末からのアクセスがあり、このアクセスのあった他の端末が解除専用端末でなく、他の端末からの着信態様がメール受信であり、かつ、その受信メールが上記のパスワード付きメールであるときに限って、当該メールによるパスワード入力に対する認証又は非認証の判断を行なう。このとき、メールでのパスワード入力を認証すると、電力供給制御デバイス８２は、スイッチＳＷをオンすることによって副バッテリ５４を使用可能状態とする。これは、上述したように、本携帯端末５０を紛失している間に主バッテリ５２がローバッテリ状態となっている場合に備えるための制御である。その後、電力供給制御デバイス８２は、非常用着信音記憶デバイス８６に記憶されている非常用着信音を読出し、この読出した非常用着信音をスピーカ７２から出力させる。これに対し、着信態様が通話着信である場合、受信メールが通常メールである場合、及び上記のメールによるパスワード入力の認証がなされない場合には、電力供給制御デバイス８２は、上記スイッチＳＷのオフ状態を維持したまま、副バッテリ５４を使用することができない状態を続ける。
【００８１】
他方、上記他の端末が解除専用端末であり、通話機能を有していないと、電力供給制御デバイス８２は、解除専用端末ＩＤ記憶部８４Ｂに記憶されている解除専用端末ＩＤとの確認をとった後、スイッチＳＷをオンして副バッテリ５４を使用可能状態とすると共に、非常用着信音をスピーカ７２から出力させる。これに対し、解除専用端末が通話機能を有していると、電力供給制御デバイス８２は、着信態様が通話着信であり、かつ通話着信後において所定時間が経過するまでに当該解除専用端末側からパスワード入力があったときに限って、オンフック処理（解除専用端末との通話切断）を行なう。その後、電力供給制御デバイス８２は、上記解除専用端末からのパスワード入力が認証されることを条件として、スイッチＳＷをオンして副バッテリ５４を使用可能状態とすると共に、上記の非常用着信音をスピーカ７２から出力させる。なお、通話着信後において解除専用端末側からのパスワード入力の認証がなされない場合（当該パスワード入力がない場合も含む）には、電力供給制御デバイス８２は、上記スイッチＳＷのオフ状態を維持して副バッテリ５４を使用することができない状態とすると共に、上記の非常用着信音を出力させない。
【００８２】
（本携帯端末５０の第２の紛失状態解除時の動作）
上記の第２の紛失状態解除処理は、通常使用時において上記のスイッチＳＷがオンされ副バッテリ５４の使用が可能になっている場合の本携帯端末５０の紛失状態を解除する処理である。
【００８３】
この第２の紛失状態解除処理では、電力供給制御デバイス８２は、他の端末からのアクセスがあり、この他の端末が解除専用端末でなく、着信態様がメール受信であり、かつ、その受信メールが上記のパスワード付きメールであるときに限って、当該メールによるパスワード入力に対する認証判断を行なう。このとき、メールでのパスワード入力を認証すると、電力供給制御デバイス８２は、非常用着信音記憶デバイス８６に記憶されている非常用着信音を読出し、この読出した非常用着信音をスピーカ７２から出力させる。
【００８４】
他方、上記アクセス端末としての他の端末が解除専用端末であり、通話機能を有していないと、電力供給制御デバイス８２は、解除専用端末ＩＤ記憶部８４Ｂに記憶されている解除専用端末ＩＤとの確認をとった後、非常用着信音をスピーカ７２から出力させる。これに対し、解除専用端末が通話機能を有していると、電力供給制御デバイス８２は、着信態様が通話着信であり、かつ通話着信後において所定時間が経過するまでに当該解除専用端末側からパスワード入力があったときに限って、オンフック処理（解除専用端末との通話切断）を行なう。その後、電力供給制御デバイス８２は、上記解除専用端末からのパスワード入力が認証されることを条件として、上記の非常用着信音をスピーカ７２から出力させる。なお、解除専用端末側からのパスワード入力の認証がなされない場合（当該パスワード入力がない場合も含む）等には、電力供給制御デバイス８２は、非常用着信音を出力させない。
【００８５】
＜作用・効果＞
本携帯端末５０の使用時には、主バッテリ５２の蓄電状態は常に検出される。この主バッテリ５２の蓄電状態がローバッテリ状態になったことが検出された場合には、認証情報入力の認証確認が行なわれ、この認証情報入力の認証結果に基づいて、副バッテリ５４の電力を通信制御ブロック５６及び非常用着信音記憶ブロック６０の両者へ供給可能な状態とするか否かが決定される。このように、携帯端末５０を利用する際に副バッテリ５４の電力を使いたいときには、認証情報の入力（即ち、当該端末の持主本人による認証情報入力による解除）が必要となることから、例えば、営業先に出張してその結果を会社に報告する等で１回の通信（通話又はメール送信）が必要となる場合であっても、主バッテリ５２の蓄電量が少なくなっていることを意識せずに携帯端末５０を利用できる。
【００８６】
他の端末から入力された認証情報は、無線通信デバイス６６を介して受取られ、当該他の端末からの認証情報入力の認証又は非認証の判断がなされる。このように、他の端末（外部）からの認証情報の入力を可能とすることで、例えば、「部屋の中で本携帯端末５０を紛失したが、何処にあるか分らない」又は「昨日、本携帯端末５０を多く使用したが、持って出るのを忘れたので主バッテリ５２の蓄電量が気になって仕方がない」等の非常時でも、外部から副バッテリ５４の電力の使用を促すことができる。よって、上記のような非常時においても、電話会社（電話事業者）のサービスに頼らずに対応可能になる。その結果、認証情報が漏洩することはない。
【００８７】
入力デバイス６８の操作によって認証情報が入力された場合にも、当該入力デバイス６８からの認証情報入力の認証又は非認証の判断がなされる。このように、本携帯端末５０上での認証情報入力を可能とすることで、例えば、「通常使用時に主バッテリ５２の蓄電量が低減したが、充電器を所持していないので充電できない」等のような場合でも、当該携帯端末５０の入力デバイス６８の操作による認証情報入力を契機に副バッテリ５４の電力の使用が可能となるので、上記のような場合でも対応可能になる。
【００８８】
したがって、本実施の形態によると、携帯端末５０の使用が通常時及び非常時の何れの使用であっても副バッテリ５４の予備電力を使用できるようなり、かつ、そのときに必要とされる認証情報も漏洩する虞がない。
【００８９】
[第２の実施の形態]
第２の実施の形態の特徴は、認証情報入力の認証がなされた場合に、電力供給制御デバイス８２内部の第１のスイッチＳＷ１及び第２のスイッチＳＷ２が同時にオンし、それによって副バッテリ５４からの通信制御ブロック５６及び非常用着信音記憶ブロック６０の両者に対する電力供給が可能な状態となる点にあり、その他の構成は第１の実施の形態と同様である。
【００９０】
＜携帯端末１００のハードウェア構成＞
図９は本発明の第２の実施の形態の携帯端末１００の構成を示すブロック図である。
【００９１】
図９を参照して、本実施の形態に係る携帯端末１００では、副バッテリ５４から延びる副電力供給ラインＬＳは、電力供給制御デバイス８２内において、上記電力供給制御デバイス８２の内部に備えられた第１のスイッチＳＷ１を介して上記の主電力供給ラインＬＭに接続されている。また、上記の主電力供給ラインＬＭのうち非常用着信音記憶ブロック６０に向かって分岐する分岐ライン部ＬＭ１は、電力供給制御デバイス８２内において、上記電力供給制御デバイス８２の内部に備えられた第２のスイッチＳＷ２を介して上記の主電力供給ラインＬＭの幹線ライン部ＬＭ２に接続されている。
【００９２】
第１のスイッチＳＷ１及び第２のスイッチＳＷ２は、共に常開スイッチである。それゆえ、主バッテリ５２の電力は、第２のスイッチＳＷ２がオンされない限り、非常用着信音記憶ブロック６０には供給されない。他方、副バッテリ５４の電力は、第１のスイッチＳＷ１及び第２のスイッチＳＷ２が共にオンされない限り、通信制御ブロック５６及び非常用着信音記憶ブロック６０の両者には供給されない。
【００９３】
＜携帯端末１００のソフトウェア構成＞
本携帯端末５０においては、通常時及び非常時の何れの使用においても、主バッテリ５２がローバッテリ状態になった場合に、認証情報入力の認証がなされることを条件として、上記のスイッチＳＷ１，ＳＷ２を同時にオンし、それによって通信制御ブロック５６及び非常用着信音記憶ブロック６０の両者に対する副バッテリ５４からの電力供給を可能な状態とするようにプログラミングされている。このプログラムは、第１の実施の形態と同様に、電力供給制御デバイス８２内のＲＯＭに記憶されており、以下に説明する本携帯端末１００の特徴的な機能を実現する。これらの機能は、上記の実質的にコンピュータから成る電力供給制御デバイス８２が上記プログラムに含まれている種々の手順に従って処理を実行することによって実現される。
【００９４】
図１０〜図１２は携帯端末１００の機能を実現するプログラムに係るメインルーチンの制御の流れを示すフローチャートである。なお、本携帯端末１００は、第１の実施の形態と同様に、主バッテリ５２及び副バッテリ５４が装着され、かつ電源が投入されたときに励起するが、このときには、上記の電力供給制御デバイス８２内のスイッチＳＷ１，ＳＷ２は共にオフ状態で、副バッテリ５４が未使用状態に初期設定されている。
【００９５】
図１０を参照して、まず、本携帯端末１００の電力供給制御デバイス８２は、主バッテリ５２がローバッテリ状態か否かを判別する（ステップＳ４００）。主バッテリ５２の電圧値がローバッテリ値まで低下し、その旨を示す検出データが当該主バッテリ５２内のローバッテリ検出部５２Ａから入力された場合には、電力供給制御デバイス８２は、主バッテリ５２がローバッテリ状態になったと判断して、その旨を通知すると共に、表示デバイス７６のディスプレイ上にパスワード入力誘導画面を表示させる（ステップＳ４０２及びＳ４０４）。上記ローバッテリ状態の通知態様は、第１の実施の形態と同様にして行なわれる。その後、電力供給制御デバイス８２は、制御をステップＳ４０６及びＳ４０８に移す。他方、主バッテリ５２が上記のローバッテリ状態でないと判別した場合には、電力供給制御デバイス８２は、第１の紛失状態解除処理に備える（ステップＳ４１０）。この第１の紛失状態解除処理については後述する。
【００９６】
ステップＳ４０６及びＳ４０８に移行すると、電力供給制御デバイス８２は、所定時間が経過するまでに入力デバイス６８のキー操作によってパスワードが入力されるのを待つ。所定時間が経過するまでにパスワードが入力された場合には、電力供給制御デバイス８２は、このパスワード入力が当該電力供給制御デバイス８２内のパスワード記憶部８４Ａに記憶されているパスワードと一致するか否かを判別する（ステップＳ４１４）。両者のパスワードが一致した場合には、電力供給制御デバイス８２は、上記のパスワード入力を認証して、その内部の第１のスイッチＳＷ１及び第２のスイッチＳＷ２を同時にオンする（ステップＳ４１６）。これにより、副バッテリ５４から延びる副電力供給ラインＬＳと主バッテリ５２から延びる主電力供給ラインＬＭとが通電する。また、主電力供給ラインＬＭの幹線ライン部ＬＭ２と幹線ライン部ＬＭ２から非常用着信音記憶ブロック６０に向かって分岐する分岐ライン部ＬＭ１も通電する。それによって、副バッテリ５４から通信制御ブロック５６及び非常用着信音記憶ブロック６０の両者に対する電力供給が可能な状態となる。その後、電力供給制御デバイス８２は、第２の紛失状態解除処理に備える（ステップＳ４１８）。この第２の紛失解除処理については後述する。他方、所定時間が経過するまでにパスワード入力がない場合、又はパスワード入力の認証がなされない場合には、電力供給制御デバイス８２は、他の端末からのアクセスを待つ（ステップＳ４１２）。他の端末からのアクセスがあると、電力供給制御デバイス８２は、制御をステップＳ４２０（図１１参照）に移す。
【００９７】
図１１を参照して、他の端末からのアクセスがあってステップＳ４２０に移行すると、電力供給制御デバイス８２は、アクセスのあった他の端末が解除専用端末であるか否かを判別する。この判別メカニズムは、第１の実施の形態と同様である。上記他の端末が解除専用端末であると判別した場合には、電力供給制御デバイス８２は、制御をステップＳ４３０（図１２参照）に移す。上記他の端末が解除専用端末でないと判別した場合には、電力供給制御デバイス８２は、制御をステップＳ４２２及びＳ４２４に移す。
【００９８】
ステップＳ４２２及びＳ４２４に移行すると、電力供給制御デバイス８２は、他の端末からの着信態様を判別する。着信態様が通話着信であると判別した場合には、電力供給制御デバイス８２は、制御をステップＳ４１２（図１０参照）に戻す。このとき、上記スイッチＳＷ１，ＳＷ２のオフ状態が共に維持されるゆえ、副バッテリ５４の使用は不可能な状態である。他方、着信態様がメール受信であると判別した場合には、電力供給制御デバイス８２は、受信メールがパスワード記載のメールか否かを判別する（ステップＳ４２６）。パスワード付きのメールであると、電力供給制御デバイス８２は、当該メールに記載されたパスワードが自身のパスワード記憶部８４Ａに記憶されているパスワードと一致するか否かを判別する（ステップＳ４２８）。このとき、両者が一致すると、電力供給制御デバイス８２は、メールでのパスワード入力を認証して、制御をステップＳ４１６（図１０参照）に移し、このステップＳ４１６において、第１のスイッチＳＷ１及び第２のスイッチＳＷ２を同時にオンする。これによって、副バッテリ５４が使用可能な状態となる。これに対し、上記の受信メールが通常のメールである場合、又は上記のメールによるパスワード入力の認証がなされない場合には、電力供給制御デバイス８２は、制御をステップＳ４１２（図１０参照）に戻す。これにより、上記スイッチＳＷ１，ＳＷ２は共にオフされたままで、副バッテリ５４の使用することができない状態が続くことになる。
【００９９】
図１２を参照して、アクセスのあった他の端末が解除専用端末であってステップＳ４３０に移行すると、電力供給制御デバイス８２は、当該解除専用端末である他の端末が通話機能を有するか否かを判別する。この判別メカニズムは、第１の実施の形態と同様である。解除専用端末が通話機能を有していないと判別した場合には、電力供給制御デバイス８２は、自身の解除専用端末ＩＤ記憶部８４Ｂに記憶されている解除専用端末ＩＤとの確認をとり（ステップＳ４４４）、その後、制御をステップＳ４１６（図１０参照）に移し、このステップＳ４１６において、第１のスイッチＳＷ１及び第２のスイッチＳＷ２を同時にオンする。その結果、副バッテリ５４が使用可能状態となる。他方、解除専用端末が通話機能を有していると判別した場合には、電力供給制御デバイス８２は、着信態様が通話着信であるか否かを判別する（ステップＳ４３２）。このとき、着信態様が通話着信でないと、電力供給制御デバイス８２は、制御をステップＳ４２４〜Ｓ４２８（図１１参照）に戻す。これらステップＳ４２４〜Ｓ４２８において、電力供給制御デバイス８２は、上記のメールでのパスワード入力が認証されることを条件として、上記スイッチＳＷ１，ＳＷ２をともにオンして副バッテリ５４を使用できるようにする（図１０に示すステップＳ４１６）。この条件を満たさない場合は、副バッテリ５４を使用することはできない。これに対し、着信態様が通話着信であると、電力供給制御デバイス８２は、所定時間が経過するまでに本携帯端末１００がオフフック状態に遷移するか否かを判別する（ステップＳ４３２及びＳ４４６）。所定時間が経過するまでに本携帯端末１００がオフフック状態に遷移した場合には、電力供給制御デバイス８２は、制御をステップＳ４１２（図１０参照）に戻す。この場合も、上記スイッチＳＷ１，ＳＷ２は共にオンされないので、副バッテリ５４の使用は不可能である。逆に、所定時間が経過しても本携帯端末１００がオフフック状態に遷移しない場合には、電力供給制御デバイス８２は、オフフック処理を行ない、それによって上記解除専用端末との通話接続を図り（ステップＳ４３６）、その後、制御をステップＳ４３８及びＳ４４０に移す。
【０１００】
ステップＳ４３８及びＳ４４０に移行すると、電力供給制御デバイス８２は、所定時間が経過するまでに上記の通話機能を有する解除専用端末側からパスワードが入力されるのを待つ。この解除専用端末側からのパスワード入力態様は、第１の実施の形態と同様である。所定時間が経過するまでに解除専用端末側からのパスワード入力がない場合には、電力供給制御デバイス８２は、オンフック処理を行ない、それによって当該解除専用端末との通話を切断する（ステップＳ４４２）。その後、電力供給制御デバイス８２は、制御をステップＳ４１２（図１０参照）に戻す。このときも、スイッチＳＷ１，ＳＷ２のオフ状態は共に維持されるゆえ、副バッテリ５４は使用できない状態にある。他方、所定時間が経過するまでに解除専用端末からのパスワード入力があった場合には、電力供給制御デバイス８２は、オンフック処理を行ない、それによって当該解除専用端末との通話を切断する（ステップＳ４４８）。その後、電力供給制御デバイス８２は、制御をステップＳ４２８（図１１参照）に移し、このステップＳ４２８において、上記解除専用端末から入力されたパスワードが自身のパスワード記憶部８４Ａに記憶されているパスワードと一致するか否かを判別する。両者が一致すると、電力供給制御デバイス８２は、解除専用端末からのパスワード入力を認証して、制御をステップＳ４１６（図１０参照）に移す。このステップＳ４１６において、電力供給制御デバイス８２は、その内部の第１のスイッチＳＷ１及び第２のスイッチＳＷ２を同時にオンし、副バッテリ５４を使用可能状態とする。これに対し、解除専用端末からのパスワード入力がない場合、又は解除専用端末からのパスワード入力の認証がなされない場合には、電力供給制御デバイス８２は、制御をステップＳ４１２（図１０参照）に戻す。上記スイッチＳＷ１，ＳＷ２はオフされたままで、副バッテリ５４の使用することができない状態が続く。
【０１０１】
（第１の紛失状態解除処理）
図１３及び図１４は携帯端末１００の機能を実現するプログラムの第１のサブルーチンである第１の紛失状態解除処理に関する制御の流れを示すフローチャートである。なお、これらの図に示したサブルーチンは、通常使用時において上記のスイッチＳＷ１，ＳＷ２のオフ状態が共に維持され副バッテリ５４の使用が不可能になっている場合の本携帯端末１００の紛失状態を解除するためのものである。
【０１０２】
図１３を参照して、第１の紛失状態解除処理では、まず、本携帯端末１００の電力供給制御デバイス８２は、他の端末からのアクセスがあることを条件として（ステップＳ５００においてＹＥＳ）、アクセスのあった他の端末が解除専用端末であるか否かを判別する（ステップＳ５０２）。この判別メカニズムは、第１の実施の形態と同様である。それ以外の場合（ステップＳ５００においてＮＯ）には、電力供給制御デバイス８２は、制御をステップＳ４００（図１０参照）に戻す。
【０１０３】
ステップＳ５０２において、上記他の端末が解除専用端末であると判別した場合には、電力供給制御デバイス８２は、制御をステップＳ５１６（図１４参照）に移す。他方、上記他の端末が解除専用端末でないと判別した場合には、電力供給制御デバイス８２は、制御をステップＳ５０４〜Ｓ５０８に移す。
【０１０４】
ステップＳ５０４〜Ｓ５０８に移行すると、電力供給制御デバイス８２は、他の端末からの着信態様がメール受信であると判別し、かつ、その受信メールが上記のパスワード付きメールである場合に限って、当該メールに記載されたパスワードが自身のパスワード記憶部８４Ａに記憶されているパスワードと一致するか否かを判別する（ステップＳ５１０）。このとき、両者が一致すると、電力供給制御デバイス８２は、メールでのパスワード入力を認証して、第１のスイッチＳＷ１及び第２のスイッチＳＷ２を同時にオンすることによって副バッテリ５４を使用可能状態とする（ステップＳ５１２）。これは、本携帯端末１００を紛失している間に主バッテリ５２がローバッテリ状態となっている場合に備えるための制御である。それゆえに、上記ステップＳ５０４〜Ｓ５１２における一連の処理は、本携帯端末１００の紛失時に主バッテリ５２の蓄電量が少なくなっているときに有効となる。その後、電力供給制御デバイス８２は、非常用着信音記憶デバイス８６に記憶されている非常用着信音を読出し、この読出した非常用着信音をスピーカ７２から出力させる（ステップＳ５１４）。この非常用着信音の出力態様は、第１の実施の形態と同様である。なお、着信態様が通話着信である場合、受信メールが通常メールである場合、及び上記のメールによるパスワード入力の認証がなされない場合には、電力供給制御デバイス８２は、制御をステップＳ４００（図１０参照）に戻す。上記スイッチＳＷ１，ＳＷ２のオフ状態は共に維持されたままであり、副バッテリ５４を使用することはできない。
【０１０５】
図１４を参照して、アクセスのあった他の端末が解除専用端末であってステップＳ５１６に移行すると、電力供給制御デバイス８２は、当該解除専用端末である他の端末が通話機能を有するか否かを判別する。この判別メカニズムは、第１の実施の形態と同様である。
【０１０６】
上記解除専用端末が通話機能を有していないと判別した場合には、電力供給制御デバイス８２は、自身の解除専用端末ＩＤ記憶部８４Ｂに記憶されている解除専用端末ＩＤとの確認をとる（ステップＳ５３０）。その後、電力供給制御デバイス８２は、制御をステップＳ５１２及びＳ５１４（図１３参照）に移す。これらステップＳ５１２及びＳ５１４において、電力供給制御デバイス８２は、その内部の第１のスイッチＳＷ１及び第２のスイッチＳＷ２を同時にオンして副バッテリ５４を使用可能状態とすると共に、上記の非常用着信音をスピーカ７２から出力させる。
【０１０７】
上記解除専用端末が通話機能を有していると判別した場合には、電力供給制御デバイス８２は、着信態様が通話着信であり、かつ通話着信後において所定時間が経過するまでに当該解除専用端末側からパスワード入力があったときに限って、オンフック処理（解除専用端末との通話切断）を行なう（ステップＳ５１８〜Ｓ５２８並びにＳ５３２及びＳ５３４）。その後、電力供給制御デバイス８２は、制御をステップＳ５１０（図１３参照）に移す。このステップＳ５１０において、電力供給制御デバイス８２は、上記解除専用端末からのパスワード入力が認証されることを条件として、制御を図１３に示すステップＳ５１２及びＳ５１４に移し、これらステップＳ５１２及びＳ５１４において、第１のスイッチＳＷ１及び第２のスイッチＳＷ２を同時にオンして副バッテリ５４を使用可能状態とすると共に、上記の非常用着信音をスピーカ７２から出力させる。これに対し、着信態様が通話着信でないときには、電力供給制御デバイス８２は、制御を上記のステップＳ５０６〜Ｓ５１４に移す。なお、この一連の制御に関しての説明は繰返さない。また、通話着信後において所定時間が経過するまでにオフフック状態に遷移した場合、及びステップＳ５２２でオフフックした後において所定時間が経過するまでに上記の解除専用端末側からのパスワード入力がない場合には、電力供給制御デバイス８２は、制御をステップＳ４００（図１０参照）に戻すゆえ、上記スイッチＳＷ１，ＳＷ２のオフ状態は維持されたままであり、副バッテリ５４を使用することはできない。
【０１０８】
（第２の紛失状態解除処理）
図１５及び図１６は携帯端末１００の機能を実現するプログラムの第２のサブルーチンである第２の紛失状態解除処理に関する制御の流れを示すフローチャートである。なお、これらの図に示したサブルーチンは、通常使用時において上記のスイッチＳＷ１，ＳＷ２が共にオンされ副バッテリ５４の使用が可能になっている場合の本携帯端末１００の紛失状態を解除するためのものである。
【０１０９】
図１５を参照して、第２の紛失状態解除処理では、まず、本携帯端末１００の電力供給制御デバイス８２は、他の端末からのアクセスを待つ（ステップＳ６００）。この間に、他の端末からのアクセスがあると、電力供給制御デバイス８２は、アクセスのあった他の端末が解除専用端末であるか否かを判別する（ステップＳ６０２）。なお、この判別メカニズムについては、上記の第１の紛失状態解除処理におけるステップＳ５０２による判別メカニズムと同様である。上記アクセス端末としての他の端末が解除専用端末であると判別した場合には、電力供給制御デバイス８２は、制御をステップＳ６１４（図１６参照）に移す。他方、上記アクセス端末として他の端末が解除専用端末でないと判別した場合には、電力供給制御デバイス８２は、制御をステップＳ６０４〜Ｓ６０８に移す。
【０１１０】
ステップＳ６０４〜Ｓ６０８に移行すると、電力供給制御デバイス８２は、他の端末からの着信態様がメール受信であると判別し、かつ、その受信メールが上記のパスワード付きメールである場合に限って、当該メールに記載されたパスワードが自身のパスワード記憶部８４Ａに記憶されているパスワードと一致するか否かを判別する（ステップＳ６１０）。このとき、両者が一致すると、電力供給制御デバイス８２は、メールでのパスワード入力を認証して、非常用着信音記憶デバイス８６に記憶されている非常用着信音を読出し、この読出した非常用着信音をスピーカ７２から出力させる（ステップＳ６１２）。なお、着信態様が通話着信である場合、受信メールが通常メールである場合、及び上記のメールによるパスワード入力の認証がなされない場合には、電力供給制御デバイス８２は、制御をステップＳ６００に戻す。つまり、上記の非常用着信音は出力されない。
【０１１１】
図１６を参照して、アクセスのあった他の端末が解除専用端末であってステップＳ６１４に移行すると、電力供給制御デバイス８２は、当該解除専用端末が通話機能を有するか否かを判別する。この判別メカニズムについては、上記の第１の紛失状態解除処理におけるステップＳ５１６による判別メカニズムと同様である。
【０１１２】
上記解除専用端末が通話機能を有していないと判別した場合には、電力供給制御デバイス８２は、自身の解除専用端末ＩＤ記憶部８４Ｂに記憶されている解除専用端末ＩＤとの確認をとり（ステップＳ６２８）、その後、制御をステップＳ６１２（図１５参照）に移し、このステップＳ６１２において、上記の非常用着信音をスピーカ７２から出力させる。
【０１１３】
他方、上記解除専用端末が通話機能を有している場合には、電力供給制御デバイス８２は、着信態様が通話着信であり、かつ通話着信後において所定時間が経過するまでに当該解除専用端末側からパスワード入力があったときに限って、オンフック処理（解除専用端末との通話切断）を行なう（ステップＳ６１６〜Ｓ６２６並びにＳ６３０及びＳ６３２）。その後、電力供給制御デバイス８２は、制御をステップＳ６１０及びＳ６１２（図１５参照）に移し、これらステップＳ６１０及びＳ６１２において、上記解除専用端末からのパスワード入力が認証されることを条件として、非常用着信音をスピーカ７２から出力させる。これに対し、着信態様が通話着信でないときには、電力供給制御デバイス８２は、制御を上記のステップＳ６０６〜Ｓ６１２に移す。なお、この一連の制御に関しての説明は繰返さない。また、通話着信後において所定時間が経過するまでにオフフック状態に遷移した場合、及びステップＳ６２０でオフフックした後において所定時間が経過するまでに上記の解除専用端末側からのパスワード入力がない場合には、電力供給制御デバイス８２は、制御をステップＳ６００（図１５参照）に戻すので、非常用着信音は出力されない。
【０１１４】
＜動作＞
本実施の形態では、携帯端末１００は以下のように動作する。
【０１１５】
（本携帯端末１００の通常使用時の動作）
主バッテリ５２の電圧値がローバッテリ値まで低下し、その旨を示す検出データが当該主バッテリ５２内のローバッテリ検出部５２Ａから入力された場合には、電力供給制御デバイス８２は、主バッテリ５２がローバッテリ状態になったと判断して、その旨を通知する。併せて、表示デバイス７６のディスプレイ上にパスワード入力誘導画面を表示させる。他方、主バッテリ５２が上記のローバッテリ状態になるまでの間は、電力供給制御デバイス８２は、第１の紛失状態解除処理に備える。
【０１１６】
ローバッテリ通知及びパスワード入力誘導画面表示がなされ、所定時間が経過するまでに入力デバイス６８のキー操作によってパスワードが入力され、このパスワード入力が認証されたときには、電力供給制御デバイス８２は、その内部の第１のスイッチＳＷ１及び第２のスイッチＳＷ２を同時にオンする。これにより、副バッテリ５４から通信制御ブロック５６及び非常用着信音記憶ブロック６０の両者に対する電力供給が可能な状態となる。その後、電力供給制御デバイス８２は、第２の紛失状態解除処理に備える。他方、入力デバイス６８によるパスワード入力の認証がなされない場合（当該パスワード入力がない場合も含む）には、電力供給制御デバイス８２は、両スイッチＳＷ１，ＳＷ２のオフ状態を継続して副バッテリ５４の使用不可能状態を維持する。
【０１１７】
上記のパスワード入力の認証がなされない場合には、電力供給制御デバイス８２は、他の端末からのアクセスを待つ。他の端末からアクセスがあり、その端末が解除専用端末でなく、着信態様がメール受信であると、電力供給制御デバイス８２は、受信メールがパスワード記載のメールか否かを判別する。受信メールがパスワード付きメールであり、当該メールでのパスワード入力が認証されると、第１のスイッチＳＷ１及び第２のスイッチＳＷ２を同時にオンする。これによって、副バッテリ５４が使用可能な状態となる。これに対し、受信メールが通常のメールである場合、又は上記メールによるパスワード入力の認証がなされない場合には、電力供給制御デバイス８２は、スイッチＳＷ１，ＳＷ２のオフ状態を継続して副バッテリ５４の使用不可能状態を維持する。
【０１１８】
上記他の端末が解除専用端末であり、通話機能を有していないときには、電力供給制御デバイス８２は、解除専用端末ＩＤ記憶部８４Ｂに記憶されている解除専用端末ＩＤとの確認をとった後、その内部の第１のスイッチＳＷ１及び第２のスイッチＳＷ２を同時にオンする。その結果、副バッテリ５４が使用可能状態となる。これに対し、解除専用端末が通話機能を有しており、着信態様が通話着信であり、所定時間が経過するまでに当該解除専用端末側からパスワードが入力されると、電力供給制御デバイス８２は、オンフック処理を行ない、それによって当該解除専用端末との通話を切断する。その後、解除専用端末からのパスワード入力を認証したときには、電力供給制御デバイス８２は、その内部の第１のスイッチＳＷ１及び第２のスイッチＳＷ２を同時にオンし、副バッテリ５４を使用可能状態とする。解除専用端末からのパスワード入力の認証がなされない場合（当該パスワード入力がない場合も含む）等には、電力供給制御デバイス８２は、上記両スイッチＳＷ１，ＳＷ２のオフ状態を継続して副バッテリ５４の使用不可能状態を維持する。
【０１１９】
（本携帯端末１００の第１の紛失状態解除時の動作）
上記の第１の紛失状態解除処理とは、通常使用時において上記のスイッチＳＷ１，ＳＷ２のオフ状態が共に維持され副バッテリ５４の使用が不可能になっている場合の本携帯端末１００の紛失状態を解除するための処理である。
【０１２０】
この第１の紛失状態解除処理では、他の端末からのアクセスがあり、その端末が解除専用端末でなく、着信態様がメール受信であり、かつ、その受信メールが上記パスワード付きメールであるときに限って、電力供給制御デバイス８２は、当該メールに記載されたパスワードに対する認証判断を行なう。このとき、メールでのパスワード入力を認証すると、電力供給制御デバイス８２は、第１のスイッチＳＷ１及び第２のスイッチＳＷ２を同時にオンすることによって副バッテリ５４を使用可能状態とする。これは、上述したように、本携帯端末１００を紛失している間に主バッテリ５２がローバッテリ状態となっている場合に備えるための制御である。その後、電力供給制御デバイス８２は、非常用着信音をスピーカ７２から出力させる。これに対し、着信態様が通話着信である場合、受信メールが通常メールである場合、及び上記のメールによるパスワード入力の認証がなされない場合には、電力供給制御デバイス８２は、両スイッチＳＷ１，ＳＷ２のオフ状態を維持したまま、副バッテリ５４を使用することができない状態を続ける。
【０１２１】
他方、上記他の端末が解除専用端末であり、通話機能を有していないと、電力供給制御デバイス８２は、自身の解除専用端末ＩＤ記憶部８４Ｂに記憶されている解除専用端末ＩＤとの確認をとった後、第１のスイッチＳＷ１及び第２のスイッチＳＷ２を同時にオンして副バッテリ５４を使用可能状態とすると共に、非常用着信音をスピーカ７２から出力させる。これに対し、解除専用端末が通話機能を有していると、電力供給制御デバイス８２は、着信態様が通話着信であり、かつ通話着信後において所定時間が経過するまでに当該解除専用端末側からパスワード入力があったときに限って、オンフック処理（解除専用端末との通話切断）を行なう。その後、電力供給制御デバイス８２は、上記解除専用端末からのパスワード入力が認証されることを条件として、第１のスイッチＳＷ１及び第２のスイッチＳＷ２を同時にオンして副バッテリ５４を使用可能状態とすると共に、上記の非常用着信音をスピーカ７２から出力させる。なお、通話着信後において解除専用端末側からのパスワード入力の認証がなされない場合（当該パスワード入力がない場合も含む）には、電力供給制御デバイス８２は、上記両スイッチＳＷ１，ＳＷ２のオフ状態を維持して副バッテリ５４を使用することができない状態とすると共に、非常用着信音を出力させない。
【０１２２】
（本携帯端末１００の第２の紛失状態解除時の動作）
上記の第２の紛失状態解除処理は、通常使用時において上記のスイッチＳＷ１，ＳＷ２が共にオンされ副バッテリ５４の使用が可能になっている場合の本携帯端末１００の紛失状態を解除する処理である。
【０１２３】
この第２の紛失状態解除処理では、他の端末からのアクセスがあり、その端末が解除専用端末でなく、着信態様がメール受信であり、かつ、その受信メールが上記のパスワード付きメールであるときに限って、電力供給制御デバイス８２は、当該メールに記載されたパスワードに対する認証判断を行なう。このとき、メールでのパスワード入力を認証すると、電力供給制御デバイス８２は、非常用着信音をスピーカ７２から出力させる。
【０１２４】
他方、上記他の端末が解除専用端末であり、通話機能を有していないと、電力供給制御デバイス８２は、自身の解除専用端末ＩＤ記憶部８４Ｂに記憶されている解除専用端末ＩＤとの確認をとった後、非常用着信音をスピーカ７２から出力させる。これに対し、解除専用端末が通話機能を有していると、電力供給制御デバイス８２は、着信態様が通話着信であり、かつ通話着信後の所定時間内に当該解除専用端末側からパスワード入力があったときに限って、オンフック処理（解除専用端末との通話切断）を行なう。その後、電力供給制御デバイス８２は、上記解除専用端末からのパスワード入力が認証されることを条件として、上記の非常用着信音をスピーカ７２から出力させる。なお、上記の解除専用端末側からのパスワード入力の認証がなされない場合（当該パスワード入力がない場合も含む）等には、電力供給制御デバイス８２は、上記の非常用着信音を出力させない。
【０１２５】
＜作用・効果＞
以上の説明から明らかな通り、本実施の形態によると、第１の実施の形態と同様の作用・効果を奏する。
【０１２６】
[第３の実施の形態]
第３の実施の形態は、第２の実施の形態とソフトウェア上の構成のみが相違する。具体的には、本携帯端末１００の通常使用時において、主バッテリ５２がローバッテリ状態となった場合に、認証情報入力の認証がなされることを条件として、電力供給制御デバイス８２内の第１のスイッチＳＷ１のみをオンし、副バッテリ５４の使用を可能な状態とする点で第２の実施の形態と相違しており、その他の構成は第２の実施の形態と同様である。
【０１２７】
＜本携帯端末１００のソフトウェア構成＞
図１７〜図１９は本発明の第３の実施の形態に係る携帯端末１００の機能を実現するプログラムに係るメインルーチンの制御の流れを示すフローチャートである。なお、本携帯端末１００では、主バッテリ５２及び副バッテリ５４が装着され、かつ電源が投入されたときに励起するが、このときには、第２の実施の形態と同様に、上記の電力供給制御デバイス８２内のスイッチＳＷ１，ＳＷ２は共にオフ状態で、副バッテリ５４が未使用状態に初期設定されている。
【０１２８】
図１７を参照して、主バッテリ５２の電圧値がローバッテリ値まで低下し、その旨を示す検出データが当該主バッテリ５２内のローバッテリ検出部５２Ａから入力された場合（ステップＳ７００においてＹＥＳ）には、本携帯端末１００の電力供給制御デバイス８２は、主バッテリ５２がローバッテリ状態になったと判断して、その旨を通知すると共に上記のパスワード入力誘導画面を表示させる（ステップＳ７０２及びＳ７０４）。その後、電力供給制御デバイス８２は、制御をステップＳ７０６及びＳ７０８に移す。他方、主バッテリ５２が上記のローバッテリ状態になるまでの間（ステップＳ７００においてＮＯ）は、電力供給制御デバイス８２は、第１の紛失状態解除処理に備える（ステップＳ７１０）。この第１の紛失状態解除処理については後述する。
【０１２９】
ステップＳ７０６及びＳ７０８に移行すると、電力供給制御デバイス８２は、所定時間が経過するまでに入力デバイス６８のキー操作によってパスワードが入力されるのを待つ。所定時間が経過するまでにパスワードが入力された場合には、電力供給制御デバイス８２は、このパスワード入力に対する認証又は非認証の判断を行なう（ステップＳ７１４）。パスワード入力を認証したときには、電力供給制御デバイス８２は、その内部の第１のスイッチＳＷ１をオンする（ステップＳ７１６）。これにより、副バッテリ５４から通信制御ブロック５６に対する電力供給が可能な状態となる。その後、電力供給制御デバイス８２は、第２の紛失状態解除処理に備える（ステップＳ７１８）。この第２の紛失解除処理については後述する。他方、所定時間が経過するまでにパスワード入力がない場合、又はパスワード入力の認証がなされない場合には、電力供給制御デバイス８２は、他の端末からのアクセスを待つ（ステップＳ７１２）。他の端末からのアクセスがあると、電力供給制御デバイス８２は、制御をステップＳ７２０（図１８参照）に移す。
【０１３０】
図１８を参照して、他の端末からのアクセスがあってステップＳ７２０に移行すると、電力供給制御デバイス８２は、アクセスのあった他の端末が解除専用端末であるか否かを判別する。上記他の端末が解除専用端末であると判別した場合には、電力供給制御デバイス８２は、制御をステップＳ７３０（図１９参照）に移す。他方、上記他の端末が解除専用端末でないと判別した場合には、電力供給制御デバイス８２は、制御をステップＳ７２２及びＳ７２４に移す。
【０１３１】
ステップＳ７２２及びＳ７２４に移行すると、電力供給制御デバイス８２は、他の端末からの着信態様を判別する。着信態様が通話着信であると判別した場合には、電力供給制御デバイス８２は、制御をステップＳ７１２（図１７参照）に戻す。他方、着信態様がメール受信であると判別した場合には、電力供給制御デバイス８２は、受信メールがパスワード記載のメールであるときには、当該メールに記載されたパスワードに対する認証又は非認証の判断を行なう（ステップＳ７２６及びＳ７２８）。このとき、メールでのパスワード入力を認証すると、電力供給制御デバイス８２は、制御をステップＳ７１６（図１７参照）に移し、このステップＳ７１６において、第１のスイッチＳＷ１をオンする。これによって、副バッテリ５４が使用可能な状態となる。それ以外の場合（ステップＳ７２４〜Ｓ７２８において共にＮＯ）の場合には、制御はステップＳ７１２（図１７参照）に戻される。
【０１３２】
図１９を参照して、アクセスのあった他の端末が解除専用端末であってステップＳ７３０に移行すると、電力供給制御デバイス８２は、当該解除専用端末が通話機能を有するか否かを判別する。解除専用端末が通話機能を有していないと判別した場合には、電力供給制御デバイス８２は、自身の解除専用端末ＩＤ記憶部８４Ｂに記憶されている解除専用端末ＩＤとの確認をとる（ステップＳ７４４）。その後、電力供給制御デバイス８２は、制御をステップＳ７１６（図１７参照）に移し、このステップＳ７１６において、第１のスイッチＳＷ１をオンする。その結果、副バッテリ５４が使用可能状態となる。他方、解除専用端末が通話機能を有していると判別した場合には、電力供給制御デバイス８２は、着信態様が通話着信であるか否かを判別する（ステップＳ７３２）。着信態様が通話着信でないと、電力供給制御デバイス８２は、制御をステップＳ７２４〜Ｓ７２８に戻す。これらステップＳ７２４〜Ｓ７２８において、電力供給制御デバイス８２は、上記のメールでのパスワード入力が認証されることを条件として、上記スイッチＳＷ１をオンして副バッテリ５４を使用可能とする。この条件を満たさない場合には、副バッテリ５４の使用は不可能である。これに対し、着信態様が通話着信であると、電力供給制御デバイス８２は、所定時間が経過するまでに本携帯端末１００がオフフック状態に遷移するか否かを判別する（ステップＳ７３２及びＳ７４６）。所定時間が経過するまでに本携帯端末１００がオフフック状態に遷移した場合には、電力供給制御デバイス８２は、制御をステップＳ７１２（図１７参照）に戻す。所定時間が経過しても本携帯端末１００がオフフック状態に遷移しない場合には、電力供給制御デバイス８２は、オフフック処理を行なって上記解除専用端末との通話接続を図り（ステップＳ７３６）、その後、制御をステップＳ７３８及びＳ７４０に移す。
【０１３３】
ステップＳ７３８及びＳ７４０に移行すると、電力供給制御デバイス８２は、所定時間が経過するまでに上記の通話機能を有する解除専用端末側からパスワードが入力されるか否かを判別する。所定時間が経過するまでに解除専用端末側からのパスワード入力がない場合には、電力供給制御デバイス８２は、オンフック処理を行なって当該解除専用端末との通話を切断する（ステップＳ７４２）。その後、電力供給制御デバイス８２は、制御をステップＳ７１２（図１７参照）に戻す。他方、所定時間が経過するまでに解除専用端末からのパスワード入力があった場合には、電力供給制御デバイス８２は、オンフック処理を行なって当該解除専用端末との通話を切断する（ステップＳ７４８）。その後、電力供給制御デバイス８２は、制御をステップＳ７２８（図１８参照）に移し、このステップＳ７２８において、上記解除専用端末から入力されたパスワードに対する認証又は非認証の判断を行なう。解除専用端末からのパスワード入力を認証すると、電力供給制御デバイス８２は、制御をステップＳ７１６（図１７参照）に移し、このステップＳ７１６において、第１のスイッチＳＷ１をオンして副バッテリ５４を使用可能状態とする。
【０１３４】
（第１の紛失状態解除処理）
図２０及び図２１は携帯端末１００の機能を実現するプログラムの第１のサブルーチンである第１の紛失状態解除処理に関する制御の流れを示すフローチャートである。なお、これらの図に示したサブルーチンは、通常使用時において上記のスイッチＳＷ１，ＳＷ２のオフ状態が共に維持され副バッテリ５４の使用が不可能になっている場合の本携帯端末１００の紛失状態を解除するためのものである。
【０１３５】
図２０を参照して、第１の紛失状態解除処理では、他の端末からのアクセスがあることを条件として（ステップＳ８００においてＹＥＳ）、本携帯端末１００の電力供給制御デバイス８２は、アクセスのあった他の端末が解除専用端末であるか否かを判別する（ステップＳ８０２）。そうでない場合（ステップＳ８００においてＮＯ）には、制御はステップＳ７００（図１７参照）に戻される。
【０１３６】
ステップＳ８０２において、上記他の端末が解除専用端末であると判別した場合には、電力供給制御デバイス８２は、制御をステップＳ８１６（図２１参照）に移す。他方、上記他の端末が解除専用端末でないと判別した場合には、電力供給制御デバイス８２は、制御をステップＳ８０４〜Ｓ８０８に移す。
【０１３７】
ステップＳ８０４〜Ｓ８０８に移行すると、電力供給制御デバイス８２は、他の端末からの着信態様がメール受信であると判別し、かつ、その受信メールが上記のパスワード付きメールである場合に限って、当該メールに記載されたパスワードに対する認証判断を行なう（ステップＳ８１０）。このとき、メールでのパスワード入力を認証すると、電力供給制御デバイス８２は、その内部の第１のスイッチＳＷ１及び第２のスイッチＳＷ２を同時にオンする（ステップＳ８１２）。その結果、副バッテリ５４からの通信制御ブロック５６及び非常用着信音記憶ブロック６０の両者に対する電力供給が可能な状態になる。これは、本携帯端末１００を紛失している間に主バッテリ５２がローバッテリ状態となっている場合に備えるための制御であるゆえに、上記ステップＳ８０４〜Ｓ８１２における一連の処理は、本携帯端末１００の紛失時に主バッテリ５２の蓄電量が少なくなっているときに有効となる。その後、電力供給制御デバイス８２は、非常用着信音を出力させる（ステップＳ８１４）。
【０１３８】
図２１を参照して、アクセスのあった他の端末が解除専用端末であってステップＳ８１６に移行すると、電力供給制御デバイス８２は、当該解除専用端末が通話機能を有するか否かを判別する。
【０１３９】
解除専用端末が通話機能を有していないと判別した場合には、電力供給制御デバイス８２は、この解除専用端末のＩＤと解除専用端末ＩＤ記憶部８４Ｂに記憶されている解除専用端末ＩＤとの確認をとる（ステップＳ８３０）。その後、電力供給制御デバイス８２は、制御をステップＳ８１２及びＳ８１４（図２０参照）に移し、これらステップＳ８１２及びＳ８１４において、第１のスイッチＳＷ１及び第２のスイッチＳＷ２を同時にオンして副バッテリ５４を使用可能状態とすると共に、非常用着信音を出力させる。
【０１４０】
他方、解除専用端末が通話機能を有していると判別した場合には、電力供給制御デバイス８２は、着信態様が通話着信であり、かつ通話着信後において所定時間が経過するまでに当該解除専用端末側からパスワード入力があったときに限って、オンフック処理（解除専用端末との通話切断）を行なう（ステップＳ８１８〜Ｓ８２８並びにＳ８３２及びＳ８３４）。その後、電力供給制御デバイス８２は、制御をステップＳ８１０（図２０参照）に移す。このステップＳ８１０において、電力供給制御デバイス８２は、解除専用端末からのパスワード入力が認証されることを条件として、制御を図２０に示すステップＳ８１２及びＳ８１４に移し、これらステップＳ８１２及びＳ８１４において、第１のスイッチＳＷ１及び第２のスイッチＳＷ２を同時にオンして副バッテリ５４を使用可能状態とすると共に、非常用着信音を出力させる。
【０１４１】
（第２の紛失状態解除処理）
図２２及び図２３は携帯端末１００の機能を実現するプログラムの第２のサブルーチンである第２の紛失状態解除処理に関する制御の流れを示すフローチャートである。なお、これらの図に示したサブルーチンは、通常使用時において上記の第１のスイッチＳＷ１のみがオンされ副バッテリ５４からの通信制御ブロック５６に対する電力供給のみが可能になっている場合の本携帯端末１００の紛失状態を解除するためのものである。
【０１４２】
図２２を参照して、第２の紛失状態解除処理では、他の端末からのアクセスがあると（ステップＳ９００においてＹＥＳ）、電力供給制御デバイス８２は、アクセスのあった他の端末が解除専用端末であるか否かを判別する（ステップＳ９０２）。上記他の端末が解除専用端末であると判別した場合には、電力供給制御デバイス８２は、制御をステップＳ９１６（図２３参照）に移す。他方、上記他の端末が解除専用端末でないと判別した場合には、電力供給制御デバイス８２は、制御をステップＳ９０４〜Ｓ９０８に移す。
【０１４３】
ステップＳ９０４〜Ｓ９０８に移行すると、電力供給制御デバイス８２は、他の端末からの着信態様がメール受信であると判別し、かつ、その受信メールが上記のパスワード付きメールである場合に限って、当該メールに記載されたパスワードに対する認証判断を行なう（ステップＳ９１０）。このとき、メールでのパスワード入力を認証すると、電力供給制御デバイス８２は、その内部の第２のスイッチＳＷ２をオンして非常用着信音を出力させる（ステップＳ９１２及びＳ９１４）。
【０１４４】
図２３を参照して、アクセスのあった他の端末が解除専用端末であってステップＳ９１６に移行すると、電力供給制御デバイス８２は、当該解除専用端末が通話機能を有するか否かを判別する。
【０１４５】
解除専用端末が通話機能を有していないと判別した場合には、電力供給制御デバイス８２は、解除専用端末ＩＤ記憶部８４Ｂに記憶されている解除専用端末ＩＤとの確認をとり（ステップＳ９３０）、その後、制御をステップＳ９１２（図２２参照）に移す。このステップＳ９１２において、電力供給制御デバイス８２は、その内部の第２のスイッチＳＷ２をオンして上記の非常用着信音を出力させる。
【０１４６】
他方、解除専用端末が通話機能を有していると判別した場合には、電力供給制御デバイス８２は、着信態様が通話着信であり、かつ通話着信後において所定時間が経過するまでに当該解除専用端末側からパスワード入力があったときに限って、オンフック処理（解除専用端末との通話切断）を行なう（ステップＳ９１８〜Ｓ９２８並びにＳ９３２及びＳ９３４）。その後、電力供給制御デバイス８２は、制御をステップＳ９１０及びＳ９１２（図２２参照）に移し、これらステップＳ９１０及びＳ９１２において、上記解除専用端末からのパスワード入力が認証されることを条件として、第２のスイッチＳＷ２をオンして非常用着信音を出力させる。
【０１４７】
＜動作＞
本実施の形態では、携帯端末１００は以下のように動作する。
【０１４８】
（本携帯端末１００の通常使用時の動作）
主バッテリ５２がローバッテリ状態になった場合には、電力供給制御デバイス８２は、その旨を通知すると共にパスワード入力誘導画面を表示させる。他方、主バッテリ５２が上記のローバッテリ状態になっていない場合には、電力供給制御デバイス８２は、第１の紛失状態解除処理に備える。
【０１４９】
上記のローバッテリ通知及びパスワード入力誘導画面表示がなされると、電力供給制御デバイス８２は、所定時間が経過するまでに入力デバイス６８のキー操作によってパスワードが入力されるのを待つ。所定時間が経過するまでにパスワードが入力された場合には、電力供給制御デバイス８２は、このパスワード入力の認証がなされることを条件として、その内部の第１のスイッチＳＷ１をオンする。これにより、副バッテリ５４から通信制御ブロック５６に対する電力供給が可能な状態となる。その後、電力供給制御デバイス８２は、第２の紛失状態解除処理に備える。
【０１５０】
上記のパスワード入力の認証がなされない場合には、電力供給制御デバイス８２は、他の端末からアクセスがあったと判断し、アクセスのあった他の端末が解除専用端末であるか否かを判別する。
【０１５１】
上記他の端末が解除専用端末でなく、着信態様がメール受信であり、受信メールがパスワード付きメールであれば、電力供給制御デバイス８２は、当該メールに記載されたパスワードに対する認証判断を行なう。メールでのパスワード入力を認証すると、電力供給制御デバイス８２は、その内部の第１のスイッチＳＷ１をオンする。これによって、副バッテリ５４が使用可能な状態となる。
【０１５２】
上記他の端末が解除専用端末であり、通話機能を有していないと、電力供給制御デバイス８２は、解除専用端末ＩＤ記憶部８４Ｂに記憶されている解除専用端末ＩＤとの確認をとった後、第１のスイッチＳＷ１をオンする。その結果、副バッテリ５４が使用可能状態となる。解除専用端末が通話機能を有しており、着信態様が通話着信であり、所定時間が経過するまでに当該通話機能を有する解除専用端末側からパスワードが入力されると、電力供給制御デバイス８２は、オンフック処理を行なうことによって当該解除専用端末との通話を切断する。その後、電力供給制御デバイス８２は、解除専用端末から入力されたパスワードに対する認証判断を行ない、その結果、解除専用端末からのパスワード入力を認証すると、その内部の第１のスイッチＳＷをオンして副バッテリ５４を使用可能状態とする。
【０１５３】
（本携帯端末１００の第１の紛失状態解除時の動作）
上記の第１の紛失状態解除処理とは、通常使用時においてスイッチＳＷ１，ＳＷ２のオフ状態が共に維持され副バッテリ５４の使用が不可能になっている場合の本携帯端末１００の紛失状態を解除するための処理である。
【０１５４】
この第１の紛失状態解除処理では、他の端末からのアクセスがあると、電力供給制御デバイス８２は、アクセスのあった他の端末が解除専用端末でなく、着信態様がメール受信であり、かつ、その受信メールが上記のパスワード付きメールである場合に限って、当該メールに記載されたパスワードに対する認証判断を行なう。メールでのパスワード入力を認証すると、電力供給制御デバイス８２は、その内部の第１のスイッチＳＷ１及び第２のスイッチＳＷ２を同時にオンする。それゆえ、副バッテリ５４からの通信制御ブロック５６及び非常用着信音記憶ブロック６０に対する電力供給が可能な状態となる。これは、上述したように、本携帯端末１００を紛失している間に主バッテリ５２がローバッテリ状態となっている場合に備えるための制御である。その後、電力供給制御デバイス８２は、非常用着信音を出力させる。
【０１５５】
上記アクセス端末としての他の端末が解除専用端末であり、通話機能を有しておらず、解除専用端末ＩＤ記憶部８４Ｂに記憶されている解除専用端末ＩＤとの確認がとれた場合には、電力供給制御デバイス８２は、その内部の第１のスイッチＳＷ１及び第２のスイッチＳＷ２を同時にオンして副バッテリ５４を使用可能状態とすると共に、非常用着信音を出力させる。解除専用端末が通話機能を有しており、着信態様が通話着信であり、かつ通話着信後において所定時間が経過するまでに当該解除専用端末側からパスワード入力があった場合に限って、電力供給制御デバイス８２は、オンフック処理（解除専用端末との通話切断）を行なう。その後、電力供給制御デバイス８２は、解除専用端末からのパスワード入力が認証されることを条件として、第１のスイッチＳＷ１及び第２のスイッチＳＷ２を同時にオンし、それによって副バッテリ５４を使用可能状態とすると共に上記の非常用着信音を出力させる。
【０１５６】
（本携帯端末１００の第２の紛失状態解除時の動作）
上記の第２の紛失状態解除処理は、通常使用時において上記の第１のスイッチＳＷ１のみがオンされ副バッテリ５４からの通信制御ブロック５６に対する電力供給のみが可能になっている場合の本携帯端末１００の紛失状態を解除する処理である。
【０１５７】
この第２の紛失状態解除処理では、他の端末からのアクセスがあると、電力供給制御デバイス８２は、アクセスのあった他の端末が解除専用端末でなく、着信態様がメール受信であり、かつ、その受信メールが上記のパスワード付きメールである場合に限って、当該メールに記載されたパスワードに対する認証判断を行なう。メールでのパスワード入力を認証すると、電力供給制御デバイス８２は、その内部の第２のスイッチＳＷ２をオンして非常用着信音を出力させる。
【０１５８】
他方、上記他の端末が解除専用端末であり、通話機能を有していないと、電力供給制御デバイス８２は、解除専用端末ＩＤ記憶部８４Ｂに記憶されている解除専用端末ＩＤとの確認をとった後、第２のスイッチＳＷ２をオンして非常用着信音を出力させる。これに対し、解除専用端末が通話機能を有しており、着信態様が通話着信であり、かつ通話着信後の所定時間内に当該解除専用端末側からパスワード入力があった場合に限って、電力供給制御デバイス８２は、オンフック処理（解除専用端末との通話切断）を行なう。その後、電力供給制御デバイス８２は、上記解除専用端末からのパスワード入力が認証されることを条件として、第２のスイッチＳＷ２をオンして上記の非常用着信音を出力させる。
【０１５９】
＜作用・効果＞
以上の説明から明らかな通り、本実施の形態によると、第１の実施の形態と同様の作用・効果を奏することに加えて、本携帯端末１００の通常使用時において、主バッテリ５２がローバッテリ状態になった場合に、認証情報入力の認証がなされると第１のスイッチＳＷ１のみがオンされ副バッテリ５４からの通信制御ブロック５６に対する電力供給のみが可能な状態となるので、副バッテリ５４の蓄電量の消耗を抑制することができる。
【０１６０】
[第４の実施の形態]
第４の実施の形態の特徴は、（１）電力供給源が単一のバッテリ９０から構成されている点、及び（２）バッテリ９０の電圧値が、例えば、満充電時に対して３０％の残量時の電圧値よりも高い、しきい値まで低下した場合に、認証情報入力の認証がなされると当該バッテリ９０の予備的な残余電力の使用を可能な状態とする一方、認証情報入力の認証がなされないと当該バッテリ９０による電力供給が遮断される点にあり、その他の構成は第１の実施の形態とほぼ同様である。
【０１６１】
＜本携帯端末２００のハードウェア構成＞
図２４は本発明の第４の実施の形態に係る携帯端末２００の構成を示すブロック図である。
【０１６２】
図２４を参照して、第４の実施の形態に係る携帯端末２００では、バッテリ９０内にはバッテリ残量ウォッチ部９０Ａが備えられている。このバッテリ残量ウォッチ部９０Ａは、本携帯端末２００の使用中にバッテリ９０の電圧の変化を常時監視するのではなく、バッテリ９０の消費電力を算出して累積し、バッテリ残量を計算するように構成されているのが好しく、そのウォッチングデータは、電力供給制御デバイス８２に入力される。もちろん、バッテリ残量ウォッチ部９０Ａは、本携帯端末２００の使用中にバッテリ９０の電圧の変化を常時監視するようになっていても構わない。
【０１６３】
電力供給制御デバイス８２は、その内部に第１の入力スイッチＳＷ１０及び第２のスイッチＳＷ２０を備えている。特に、この電力供給制御デバイス８２のＲＡＭには、パスワード記憶部８４Ａ及び解除専用端末ＩＤ記憶部８４Ｂから構成される認証情報記憶領域８４に加えて、電力供給遮断しきい値記憶領域９２が形成されている。この電力供給遮断しきい値記憶領域９２には、バッテリ９０からの電力供給を遮断するか否かのパラメータとなる上記のしきい値が格納される。
【０１６４】
本実施の形態では、電力供給ラインとしては、バッテリ９０から電力供給制御ブロック５８を通過して通信制御ブロック５６に向かって延びる第１の電力供給ラインＬ１と、バッテリ９０と電力供給制御ブロック５８との間で第１の電力供給ラインＬ１から分岐し、かつ電力供給制御ブロック５８に向かって延びる第２の電力供給ラインＬ２と、バッテリ９０と電力供給制御ブロック５８との間で分岐し、かつ電力供給制御ブロック５８を通過して非常用着信音記憶ブロック６０に向かって延びる第３の電力供給ラインＬ３との３系統がある。特に、第１の電力供給ラインＬ１は、常閉スイッチである上記の第１のスイッチＳＷ１０を介して通信制御ブロック５６に接続されている。それゆえ、バッテリ９０からの電力は、電力供給制御デバイス８２内の第１のスイッチＳＷ１０がオフされない限り、通信制御ブロック５６に供給される。他方、第３の電力供給ラインＬ３は、常開スイッチである上記の第２のスイッチＳＷ２０を介して非常用着信音記憶ブロック６０に接続されている。それゆえ、バッテリ９０からの電力は、電力供給制御デバイス８２内の第２のスイッチＳＷ２０がオンされない限り、非常用着信音記憶ブロック６０に供給されることはない。
【０１６５】
（本携帯端末２００のソフトウェア構成＞
本携帯端末２００においては、上述したように、バッテリ９０の電圧値が上記のしきい値まで低下した場合に、認証情報入力の認証がなされると当該バッテリ９０の予備的な残余電力の使用を可能な状態とする一方、認証情報入力の認証がなされないと当該バッテリ９０による電力供給が遮断されるようにプログラミングされている。このプログラムは、第１の実施の形態と同様に、電力供給制御デバイス８２内のＲＯＭに記憶されており、以下に説明する本携帯端末５０の特徴的な機能を実現する。これらの機能は、上記の実質的にコンピュータから成る電力供給制御デバイス８２が上記プログラムに含まれている種々の手順に従って処理を実行することによって実現される。
【０１６６】
認証情報としてのパスワード及び認証解除専用端末専用ＩＤは、例えば、本携帯端末２００の初期設定時等に入力されて電力供給制御デバイス８２内のＲＡＭに形成されたパスワード記憶部８４Ａ及び解除専用端末ＩＤ記憶部８４Ｂにそれぞれ格納されている。特に、上記バッテリ９０のしきい値電圧は、例えば、本携帯端末２００の出荷前に携帯端末製造会社側で設定されて電力供給遮断しきい値記憶領域９２に格納されている。
【０１６７】
また、バッテリ９０の残量は、本携帯端末２００の電源がオンされることを契機として、当該バッテリ９０内のバッテリ残量ウォッチ部９０Ａにより監視され、このバッテリ残量ウォッチ部９０Ａからのウォッチングデータは電力供給制御デバイス８２にリアルタイムで与えられる。
【０１６８】
図２５は携帯端末２００の機能を実現するプログラムに係るメインルーチンの制御の流れを示すフローチャートである。なお、本携帯端末２００では、バッテリ９０が装着され、かつ電源が投入されたときに励起する。このとき、第１のスイッチＳＷ１０はオン状態で第２のスイッチＳＷ２は共にオフ状態であり、非常用着信音記憶ブロック６０にはバッテリ９０から電力供給ができない状態に初期設定されている。
【０１６９】
図２５を参照して、まず、本携帯端末２００の電力供給制御デバイス８２は、バッテリ９０の電圧値が、例えば、満充電時に対して３０％の残量時の電圧値よりも高い上記のしきい値以上であるか否かを判別する（ステップＳ１０００）。この判別は、バッテリ９０内のバッテリ残量ウォッチ部９０Ａからのウォッチングデータと電力供給制御デバイス８２内の電力供給遮断しきい値記憶領域９２に記憶されている上記のしきい値とを比較することによって達成される。この比較の結果、バッテリ９０の電圧値が上記しきい値以上であると判別した場合には、電力供給制御デバイス８２は、第１の紛失状態解除処理に備える（ステップＳ１０１２）。この第１の紛失状態解除処理については、後で詳しく説明する。他方、バッテリ９０の電圧値が上記しきい値まで低下したことを判別した場合には、電力供給制御デバイス８２は、この状態をローバッテリ状態とみなして、その旨の通知を行なうと共に、表示デバイス７６のディスプレイ上にパスワード入力誘導画面を表示させる（ステップＳ１００２及びＳ１００４）。その後、電力供給制御デバイス８２は、制御をステップＳ１００６及びＳ１００８に移す。
【０１７０】
ステップＳ１００６及びＳ１００８に移行すると、電力供給制御デバイス８２は、所定時間が経過するまでに入力デバイス６８のキー操作によってパスワードが入力されるのを待つ。所定時間が経過するまでにパスワードが入力された場合には、電力供給制御デバイス８２は、このパスワード入力が当該電力供給制御デバイス８２内のパスワード記憶部８４Ａに記憶されているパスワードと一致するか否かを判別する（ステップＳ１０１６）。両者のパスワードが一致したときには、電力供給制御デバイス８２は、パスワード入力を認証して、第１のスイッチＳＷ１０のオン状態を継続させる（ステップＳ１０１８）。これにより、バッテリ９０からの通信制御ブロック５６に対する電力供給は継続される。換言すると、バッテリ９０の予備的な残余電力の使用を可能とする。他方、所定時間が経過するまでにパスワード入力がない場合、又はパスワード入力の認証がなされない場合には、電力供給制御デバイス８２は、上記スイッチＳＷ１０をオフし、それによってバッテリ９０からの通信制御ブロック５６に対する電力供給を遮断する。それゆえ、通信制御ブロック５６内の通信制御デバイス６２は非稼動状態となる。その後、電力供給制御デバイス８２は、第２の紛失状態解除処理に備える（ステップＳ１０２０）。この第２の紛失状態解除処理については、後で詳しく説明すれる。
【０１７１】
（第１の紛失状態解除処理）
図２６及び図２７は携帯端末２００の機能を実現するプログラムのサブルーチンである第１の紛失状態解除処理に関する制御の流れを示すフローチャートである。なお、これらの図に示したサブルーチンは、通常使用時において上記のバッテリ９０の残量が上記のしきい値以上であって、かつ上記の第１のスイッチＳＷ１０のみがオンされバッテリ９０からの通信制御ブロック５６に対する電力供給のみが可能になっている場合の本携帯端末２００の紛失状態を解除するためのものである。
【０１７２】
図２６を参照して、第１の紛失状態解除処理では、他の端末からのアクセスがあるときに限って（ステップＳ２０００においてＹＥＳ）、本携帯端末２００の電力供給制御デバイス８２は、アクセスのあった他の端末が解除専用端末であるか否かを判別する（ステップＳ２００２）。上記他の端末が解除専用端末であると判別した場合には、電力供給制御デバイス８２は、制御をステップＳ２０１６（図２７参照）に移す。上記他の端末が解除専用端末でないと判別した場合には、電力供給制御デバイス８２は、制御をステップＳ２００４〜Ｓ２００８に移す。
【０１７３】
ステップＳ２００４〜Ｓ２００８に移行すると、電力供給制御デバイス８２は、他の端末からの着信態様がメール受信であると判別し、かつ、その受信メールが上記のパスワード付きメールである場合に限って、当該メールに記載されたパスワードが自身のパスワード記憶部８４Ａに記憶されているパスワードと一致するか否かを判別する（ステップＳ２０１０）。両者が一致した場合には、電力供給制御デバイス８２は、メールでのパスワード入力を認証して、第２のスイッチＳＷ２０をオンする（ステップＳ２０１２）。その結果、バッテリ９０からの非常用着信音記憶ブロック６０に対する電力供給も可能な状態になる。その後、電力供給制御デバイス８２は、非常用着信音記憶デバイス８６に記憶されている非常用着信音を読出し、この読出した非常用着信音をスピーカ７２から出力させる（ステップＳ２０１４）。なお、着信態様が通話着信である場合、受信メールが通常メールである場合、及び上記のメールによるパスワード入力の認証がなされない場合には、電力供給制御デバイス８２は、制御をステップＳ１０００に戻す。
【０１７４】
図２７を参照して、アクセスのあった他の端末が解除専用端末であってステップＳ２０１６に移行すると、電力供給制御デバイス８２は、当該解除専用端末が通話機能を有するか否かを判別する。
【０１７５】
解除専用端末が通話機能を有していないと判別した場合には、電力供給制御デバイス８２は、解除専用端末ＩＤ記憶部８４Ｂに記憶されている解除専用端末ＩＤとの確認をとる（ステップＳ２０３０）。その後、電力供給制御デバイス８２は、制御をステップＳ２０１２及びＳ２０１４（図２６参照）に移し、これらステップＳ２０１２及びＳ２０１４において、第２のスイッチＳＷ２０をオンして非常用着信音をスピーカ７２から出力させる。
【０１７６】
他方、解除専用端末が通話機能を有していると判別した場合には、電力供給制御デバイス８２は、着信態様が通話着信であり、かつ通話着信後において所定時間が経過するまでに当該解除専用端末側からパスワード入力があったときに限って、オンフック処理（解除専用端末との通話切断）を行なう（ステップＳ２０１８〜Ｓ２０２８並びにＳ２０３２及びＳ２０３４）。その後、電力供給制御デバイス８２は、制御をステップＳ２０１０（図２５参照）に移す。このステップＳ２０１０において、電力供給制御デバイス８２は、上記解除専用端末からのパスワード入力が認証されることを条件として、制御を図２６に示すステップＳ２０１２及びＳ２０１４に移し、これらステップＳ２０１２及びＳ２０１４において、第２のスイッチＳＷ２０をオンして非常用着信音をスピーカ７２から出力させる。これに対し、着信態様が通話着信でないときには、電力供給制御デバイス８２は、制御をステップＳ２００６〜Ｓ２０１４に移す。また、通話着信後において所定時間が経過するまでにオフフック状態に遷移した場合、及びステップＳ２０２２でオフフックした後において所定時間が経過するまでに解除専用端末側からのパスワード入力がない場合には、電力供給制御デバイス８２は、制御をステップＳ１０００（図２５参照）に戻す。
【０１７７】
（第２の紛失状態解除処理）
図２８及び図２９は携帯端末２００の機能を実現するプログラムのサブルーチンである第２の紛失状態解除処理に関する制御の流れを示すフローチャートである。なお、これらの図に示したサブルーチンは、通常使用時において上記のバッテリ９０の残量が上記のしきい値以下であって、かつ上記の第１のスイッチＳＷ１０のみがオンされバッテリ９０からの通信制御ブロック５６に対する電力供給のみが可能になっている場合の本携帯端末２００の紛失状態を解除するためのものである。
【０１７８】
図２８を参照して、第２の紛失状態解除処理では、他の端末からのアクセスがあるときに限って（ステップＳ３０００においてＹＥＳ）、本携帯端末２００の電力供給制御デバイス８２は、アクセスのあった他の端末が解除専用端末であるか否かを判別する（ステップＳ３００２）。上記他の端末が解除専用端末であると判別した場合には、電力供給制御デバイス８２は、制御をステップＳ３０１６（図２９参照）に移す。上記他の端末が解除専用端末でないと判別した場合には、電力供給制御デバイス８２は、制御をステップＳ３００４〜Ｓ３００８に移す。
【０１７９】
ステップＳ３００４〜Ｓ００８に移行すると、電力供給制御デバイス８２は、他の端末からの着信態様がメール受信であると判別し、かつ、その受信メールが上記のパスワード付きメールである場合に限って、当該メールに記載されたパスワードが自身のパスワード記憶部８４Ａに記憶されているパスワードと一致するか否かを判別する（ステップＳ３０１０）。両者が一致した場合には、電力供給制御デバイス８２は、メールでのパスワード入力を認証して、第２のスイッチＳＷ２０をオンする（ステップＳ３０１２）。その結果、バッテリ９０からの非常用着信音記憶ブロック６０に対する電力供給も可能な状態になる。その後、電力供給制御デバイス８２は、非常用着信音記憶デバイス８６に記憶されている非常用着信音を読出し、この読出した非常用着信音をスピーカ７２から出力させる（ステップＳ３０１４）。なお、着信態様が通話着信である場合、受信メールが通常メールである場合、及び上記のメールによるパスワード入力の認証がなされない場合には、電力供給制御デバイス８２は、制御をステップＳ３０００に戻す。
【０１８０】
図２９を参照して、アクセスのあった他の端末が解除専用端末であってステップＳ３０１６に移行すると、電力供給制御デバイス８２は、当該解除専用端末が通話機能を有するか否かを判別する。
【０１８１】
解除専用端末が通話機能を有していないと判別した場合には、電力供給制御デバイス８２は、解除専用端末ＩＤ記憶部８４Ｂに記憶されている解除専用端末ＩＤとの確認をとる（ステップＳ３０３０）。その後、電力供給制御デバイス８２は、制御をステップＳ３０１２及びＳ３０１４（図２８参照）に移し、これらステップＳ３０１２及びＳ３０１４において、第２のスイッチＳＷ２０をオンして非常用着信音をスピーカ７２から出力させる。
【０１８２】
他方、解除専用端末が通話機能を有していると判別した場合には、電力供給制御デバイス８２は、着信態様が通話着信であり、かつ通話着信後において所定時間が経過するまでに当該解除専用端末側からパスワード入力があったときに限って、オンフック処理（解除専用端末との通話切断）を行なう（ステップＳ３０１８〜Ｓ３０２８並びにＳ３０３２及びＳ３０３４）。その後、電力供給制御デバイス８２は、制御をステップＳ３０１０（図２８参照）に移す。このステップＳ３０１０において、電力供給制御デバイス８２は、上記解除専用端末からのパスワード入力が認証されることを条件として、制御を図２８に示すステップＳ３０１２及びＳ３０１４に移し、これらステップＳ３０１２及びＳ３０１４において、第２のスイッチＳＷ２０をオンして非常用着信音をスピーカ７２から出力させる。これに対し、着信態様が通話着信でないときには、電力供給制御デバイス８２は、制御をステップＳ３００６〜Ｓ３０１４に移す。また、通話着信後において所定時間が経過するまでにオフフック状態に遷移した場合、及びステップＳ３０３２でオフフックした後において所定時間が経過するまでに解除専用端末側からのパスワード入力がない場合には、電力供給制御デバイス８２は、制御をステップＳ３０００（図２８参照）に戻す。
【０１８３】
＜動作＞
本実施の形態では、携帯端末２００は以下のように動作する。
【０１８４】
（本携帯端末２００の通常使用時の動作）
本携帯端末２００では、バッテリ９０内のバッテリ残量ウォッチ部９０Ａからのウォッチングデータが電力供給制御デバイス８２に常時入力される。この入力されたバッテリ９０のウォッチングデータは、電力供給制御デバイス８２内の電力供給遮断しきい値記憶領域９２に記憶されている上記のしきい値と比較される。この比較の結果、バッテリ９０の電圧値が上記しきい値以上であると、電力供給制御デバイス８２は、第１の紛失状態解除処理に備える。他方、バッテリ９０が上記しきい値まで低下すると、電力供給制御デバイス８２は、この状態をローバッテリ状態とみなして、ローバッテリ状態通知を行なうと共に、表示デバイス７６のディスプレイ上にパスワード入力誘導画面を表示させる。
【０１８５】
ローバッテリ状態通知及びパスワード入力誘導画面表示がなされると、所定時間が経過するまでに入力デバイス６８の操作によってパスワードが入力され、このパスワード入力が認証されると、電力供給制御デバイス８２は、その内部の第１のスイッチＳＷ１０のオンを維持する。これにより、バッテリ９０から通信制御ブロック５６に対する電力供給は継続される。これに対し、入力デバイス６８によるパスワード入力の認証がなされないと、電力供給制御デバイス８２は、その内部の第１のスイッチＳＷ１０をオフする。これにより、バッテリ９０からの通信制御ブロック５６に対する電力供給が遮断される。この通信制御ブロック５６には、通信制御デバイス６２が含まれている。
【０１８６】
（本携帯端末２００の第１の紛失状態解除時の動作）
第１の紛失状態解除処理とは、通常使用時においてバッテリ９０の残量がしきい値以上で第１のスイッチＳＷ１０のみがオンされバッテリ９０からの通信制御ブロック５６に対する電力供給のみが可能になっている場合の本携帯端末２００の紛失状態を解除するためのものである。
【０１８７】
この第１の紛失状態解除処理では、他の端末からのアクセスがあり、上記他の端末が解除専用端末でなく、着信態様がメール受信であり、かつ、その受信メールが上記のパスワード付きメールである場合に限って、電力供給制御デバイス８２は、当該メールに記載されたパスワードに対する認証判断を行なう。このとき、メールでのパスワード入力を認証すると、電力供給制御デバイス８２は、その内部の第２のスイッチＳＷ２０をオンする。これにより、非常用着信音が出力される。
【０１８８】
他方、上記他の端末が解除専用端末であり、通話機能を有していないと、電力供給制御デバイス８２は、解除専用端末ＩＤ記憶部８４Ｂに記憶されている解除専用端末ＩＤとの確認をとった後、第２のスイッチＳＷ２０をオンして非常用着信音を出力させる。これに対し、解除専用端末が通話機能を有していると、電力供給制御デバイス８２は、着信態様が通話着信であり、かつ通話着信後において所定時間が経過するまでに当該解除専用端末側からパスワード入力があった場合に限って、オンフック処理（解除専用端末との通話切断）を行なう。その後、電力供給制御デバイス８２は、解除専用端末からのパスワード入力が認証されることを条件として、第２のスイッチＳＷ２０をオンすることによって非常用着信音を出力させる。
【０１８９】
（本携帯端末２００の第２の紛失状態解除時の動作）
第２の紛失状態解除処理とは、通常使用時においてバッテリ９０の残量がしきい値以下で第１のスイッチＳＷ１０のみがオンされバッテリ９０からの通信制御ブロック５６に対する電力供給のみが可能になっている場合の本携帯端末２００の紛失状態を解除するためのものである。
【０１９０】
この第２の紛失状態解除処理では、他の端末からのアクセスがあり、上記他の端末が解除専用端末でなく、着信態様がメール受信であり、かつ、その受信メールが上記のパスワード付きメールである場合に限って、電力供給制御デバイス８２は、当該メールに記載されたパスワードに対する認証判断を行なう。このとき、メールでのパスワード入力を認証すると、電力供給制御デバイス８２は、その内部の第２のスイッチＳＷ２０をオンする。これにより、非常用着信音が出力される。
【０１９１】
他方、上記他の端末が解除専用端末であり、通話機能を有していないと、電力供給制御デバイス８２は、解除専用端末ＩＤ記憶部８４Ｂに記憶されている解除専用端末ＩＤとの確認をとった後、第２のスイッチＳＷ２０をオンして非常用着信音を出力させる。これに対し、解除専用端末が通話機能を有していると、電力供給制御デバイス８２は、着信態様が通話着信であり、かつ通話着信後の所定時間内に当該解除専用端末側からパスワード入力があった場合に限って、オンフック処理（解除専用端末との通話切断）を行なう。その後、電力供給制御デバイス８２は、解除専用端末からのパスワード入力が認証されることを条件として、第２のスイッチＳＷ２０をオンすることによって非常用着信音を出力させる。
【０１９２】
＜作用・効果＞
以上の説明から明らかな通り、本実施の形態によると、電力供給源として単一のバッテリ９０のみしか備えられていないとしても、携帯端末２００の使用が通常時及び非常時の何れの使用であっても当該バッテリ９０の予備的な残余電力を使用できるようなり、かつ、そのときに必要とされる認証情報も漏洩する虞がない。
【０１９３】
なお、本発明は上記実施の形態に限定されるものではない。例えば、上記実施の形態においては、認証情報の１つとして、パスワードを用いた例について記載した。しかし、本発明は、このような構成に限定されない。例えば、パスワードに代わる認証情報として、指紋データ、手のひらデータ、眼の網膜データ及び声紋データ等の生体認証データ等を用いる構成としても、本発明の目的は十分に達成し得る。また、上記実施の形態では、通話機能を有さない解除専用端末として、デスクトップコンピュータ、モバイルコンピュータ及びＰＤＡ等が適用可能な構成について記載した。しかし、本発明は、このような構成にも限定されない。例えば、通話機能を有さない解除専用端末として、リモートコントローラ等の赤外線等の光通信が可能な本携帯端末専用の遠隔操作装置を利用しても構わない。この場合、無線通信デバイスとして、例えば、ＩｒＤＡ（Ｉｎｆｒａｒｅｄ  Ｄａｔａ  Ａｓｓｏｃｉａｔｉｏｎ）規格等を利用した赤外線通信デバイス等の光通信デバイスを増設等することが好ましい。その他、本明細書に添付の特許請求の範囲内での種々の設計変更及び修正を加え得ることは勿論である。
【０１９４】
すなわち、本明細書で開示した実施の形態は単に例示であって、本発明が上述した実施の形態のみに限定されるわけではない。本発明の範囲は、本明細書の記載内容を参酌した上で、別紙の特許請求の範囲における請求項によって示され、そこに記載された文言と均等の意味及び範囲内での全ての変更を含む。
【図面の簡単な説明】
【０１９５】
【図１】本発明の第１の実施の形態に係る携帯端末の構成を示すブロック図である。
【図２】同携帯端末の機能を実現するプログラムに係るメインルーチンの制御の流れを示すフローチャートである。
【図３】同携帯端末の機能を実現するプログラムに係るメインルーチンの制御の流れを示すフローチャートであって、図２の続きを示す。
【図４】同携帯端末の機能を実現するプログラムに係るメインルーチンの制御の流れを示すフローチャートであって、図３の続きを示す。
【図５】同携帯端末の機能を実現するプログラムの第１のサブルーチンである第１の紛失状態解除処理に関する制御の流れを示すフローチャートである。
【図６】同携帯端末の機能を実現するプログラムの第１のサブルーチンである第１の紛失状態解除処理に関する制御の流れを示すフローチャートであって、図５の続きを示す。
【図７】同携帯端末の機能を実現するプログラムの第２のサブルーチンである第２の紛失状態解除処理に関する制御の流れを示すフローチャートである。
【図８】同携帯端末の機能を実現するプログラムの第２のサブルーチンである第２の紛失状態解除処理に関する制御の流れを示すフローチャートであって、図７の続きを示す。
【図９】本発明の第２の実施の形態の携帯端末の構成を示すブロック図である。
【図１０】同携帯端末の機能を実現するプログラムに係るメインルーチンの制御の流れを示すフローチャートである。
【図１１】同携帯端末の機能を実現するプログラムに係るメインルーチンの制御の流れを示すフローチャートであって、図１０の続きを示す。
【図１２】同携帯端末の機能を実現するプログラムに係るメインルーチンの制御の流れを示すフローチャートであって、図１１の続きを示す。
【図１３】同携帯端末の機能を実現するプログラムの第１のサブルーチンである第１の紛失状態解除処理に関する制御の流れを示すフローチャートである
【図１４】同携帯端末の機能を実現するプログラムの第１のサブルーチンである第１の紛失状態解除処理に関する制御の流れを示すフローチャートであって、図１３の続きを示す
【図１５】同携帯端末の機能を実現するプログラムの第２のサブルーチンである第２の紛失状態解除処理に関する制御の流れを示すフローチャートである。
【図１６】同携帯端末の機能を実現するプログラムの第２のサブルーチンである第２の紛失状態解除処理に関する制御の流れを示すフローチャートであって、図１５の続きを示す。
【図１７】本発明の第３の実施の形態に係る携帯端末の機能を実現するプログラムに係るメインルーチンの制御の流れを示すフローチャートである。
【図１８】同携帯端末の機能を実現するプログラムに係るメインルーチンの制御の流れを示すフローチャートであって、図１７の続きを示す。
【図１９】同携帯端末の機能を実現するプログラムに係るメインルーチンの制御の流れを示すフローチャートであって、図１８の続きを示す。
【図２０】同携帯端末の機能を実現するプログラムの第１のサブルーチンである第１の紛失状態解除処理に関する制御の流れを示すフローチャートである。
【図２１】同携帯端末の機能を実現するプログラムの第１のサブルーチンである第１の紛失状態解除処理に関する制御の流れを示すフローチャートであって、図２０の続きを示す。
【図２２】同携帯端末の機能を実現するプログラムの第２のサブルーチンである第２の紛失状態解除処理に関する制御の流れを示すフローチャートである。
【図２３】同携帯端末の機能を実現するプログラムの第２のサブルーチンである第２の紛失状態解除処理に関する制御の流れを示すフローチャートであって、図２２の続きを示す。
【図２４】本発明の第４の実施の形態に係る携帯端末の構成を示すブロック図である。
【図２５】同携帯端末の機能を実現するプログラムに係るメインルーチンの制御の流れを示すフローチャートである。
【図２６】同携帯端末の機能を実現するプログラムに係る第１のサブルーチンである第１の紛失状態解除処理に関する制御の流れを示すフローチャートである。
【図２７】同携帯端末の機能を実現するプログラムに係る第１のサブルーチンである第１の紛失状態解除処理に関する制御の流れを示すフローチャートであって、図２６の続きを示す。
【図２８】同携帯端末の機能を実現するプログラムの第２のサブルーチンである第２の紛失状態解除処理に関する制御の流れを示すフローチャートである。
【図２９】同携帯端末の機能を実現するプログラムの第２のサブルーチンである第２の紛失状態解除処理に関する制御の流れを示すフローチャートであって、図２８の続きを示す。
【符号の説明】
【０１９６】
５０，１００，２００  携帯端末（携帯電話）
５２，５４，９０  バッテリ
５２Ａ  ローバッテリ検出部
５６  通信制御ブロック
５８  電力供給制御ブロック
６０  非常用着信音記憶ブロック
６２  通信制御デバイス
６４  通信関連情報記憶デバイス
６６  無線通信デバイス
６８  入力デバイス
７０  タイマ
７２  スピーカ
７４  発光デバイス
７６  表示デバイス
７８  バイブレータ
８０  マイク
８２  電力供給制御デバイス
８４  認証情報記憶領域
８４Ａ  パスワード記憶部
８４Ｂ  解除専用端末ＩＤ記憶部
８６  非常用着信音記憶デバイス
９０Ａ  バッテリ残量ウォッチ部
９２  電力供給遮断しきい値記憶領域
ＳＷ，ＳＷ１，ＳＷ２，ＳＷ１０，ＳＷ２０  スイッチ
ＬＭ，ＬＳ，Ｌ１，Ｌ２，Ｌ３  電力供給ライン
【図１】
0005090816.tif 000002
【図２】
0005090816.tif 000003
【図３】
0005090816.tif 000004
【図４】
0005090816.tif 000005
【図５】
0005090816.tif 000006
【図６】
0005090816.tif 000007
【図７】
0005090816.tif 000008
【図８】
0005090816.tif 000009
【図９】
0005090816.tif 000010
【図１０】
0005090816.tif 000011
【図１１】
0005090816.tif 000012
【図１２】
0005090816.tif 000013
【図１３】
0005090816.tif 000014
【図１４】
0005090816.tif 000015
【図１５】
0005090816.tif 000016
【図１６】
0005090816.tif 000017
【図１７】
0005090816.tif 000018
【図１８】
0005090816.tif 000019
【図１９】
0005090816.tif 000020
【図２０】
0005090816.tif 000021
【図２１】
0005090816.tif 000022
【図２２】
0005090816.tif 000023
【図２３】
0005090816.tif 000024
【図２４】
0005090816.tif 000025
【図２５】
0005090816.tif 000026
【図２６】
0005090816.tif 000027
【図２７】
0005090816.tif 000028
【図２８】
0005090816.tif 000029
【図２９】
0005090816.tif 000030